(57)【要約】【課題】特別役決定情報の持越し遊技期間において特別役決定相当の役決定結果が得られたことに対応させて、遊技者に特典を付与する機会を設定し得るスロットマシンを得る。【解決手段】特別役決定情報の持越し遊技期間における役決定により、非持越し遊技期間であれば特別役が決定された場合に相当する役決定結果が得られた場合に、当該役決定結果が得られたことを示す特別役決定相当情報が記憶される非持越し特別役記憶領域１０２２を、主制御手段に備える。この非持越し特別役記憶領域１０２２に記憶された特別役決定相当情報を副制御手段へ送信し、副制御手段の特典付与決定手段において、特別役決定相当情報を受信したことを契機として、遊技者への特典の付与を決定する。【選択図】図５
2013000381.tif 000002
【特許請求の範囲】
【請求項１】
複数種類の図柄を可変表示する複数のリール、
前記複数のリールの回転開始及び回転停止に関するリール操作を受け付ける操作手段、
所定の役決定開始条件が満足されたことを契機として役決定を行う役決定手段と、前記
操作手段が受け付けた前記リール操作と前記役決定手段による前記役決定の情報とに基づ
き前記複数のリールの駆動を制御するリール制御手段とを有する主制御手段、
及び、遊技の状況に応じて所定の演出制御を行う副制御手段を備え、
遊技者にとって通常よりも有利な遊技条件が設定される契機となる特別役が前記役決定
により決定されたことを示す特別役決定情報を、当該特別役が未成立となった場合に次の
遊技期間に持ち越すことが可能とされたスロットマシンであって、
前記主制御手段は、
前記特別役決定情報が持ち越されていない非持越し遊技期間における前記役決定により
前記特別役が決定された場合に、前記特別役決定情報が記憶される持越し特別役記憶領域
と、
前記特別役決定情報が持ち越されている持越し遊技期間における前記役決定により、前
記非持越し遊技期間であれば前記特別役が決定された場合に相当する役決定結果が得られ
た場合に、当該役決定結果が得られたことを示す特別役決定相当情報が記憶される非持越
し特別役記憶領域と、を備えるとともに、
前記非持越し特別役記憶領域に記憶された前記特別役決定相当情報を前記副制御手段へ
送信し、
前記非持越し特別役記憶領域に記憶された前記特別役決定相当情報は、次の遊技期間に
移行するまでに消去し、前記持越し特別役記憶領域に記憶された前記特別役決定情報は、
前記特別役が成立した場合には消去し、成立しなかった場合には消去せず次の遊技期間に
持ち越すように構成されており、
前記副制御手段は、
前記特別役決定相当情報を受信したことを契機として、遊技者への特典の付与を決定す
る特典付与決定手段を備えている、ことを特徴とするスロットマシン。
【請求項２】
前記リール制御手段は、前記非持越し特別役記憶領域に前記特別役決定相当情報が記憶
された場合と記憶されなかった場合とで、前記複数のリールの駆動制御を異ならせるよう
に構成されている、ことを特徴とする請求項１に記載のスロットマシン。
【請求項３】
前記特別役として、対応図柄がそれぞれ異なる複数の特別役が設定されており、
前記非持越し特別役記憶領域に記憶される前記特別役決定相当情報は、前記非持越し遊
技期間であれば前記複数の特別役のうちの何れの特別役が決定された場合に相当する役決
定結果が得られたかということを判別可能に構成されており、
前記リール制御手段は、前記非持越し特別役記憶領域に記憶された前記特別役決定相当
情報の内容に応じて、前記複数のリールの駆動制御を異ならせるように構成されている、
ことを特徴とする請求項１または２に記載のスロットマシン。
【請求項４】
前記主制御手段は、
前記非持越し特別役記憶領域に前記特別役決定相当情報が記憶されることを契機として
、前記リール操作が無効状態となり前記複数のリールが通常とは異なる作動状態となるフ
リーズの決定を行うフリーズ決定手段と、
前記フリーズ決定手段によりフリーズ実行の決定が行われたことを契機として、前記リ
ール操作の少なくとも一部を無効化するとともに前記フリーズ実行の決定に対応した所定
のフリーズパターンに従って前記複数のリールの駆動を制御するフリーズ実行制御手段と
を備えている、ことを特徴とする請求項１から３のいずれか一項に記載のスロットマシン
。
【請求項５】
前記副制御手段は、所定の役の成否をアシストするアシスト演出を行うアシスト演出手
段を備えており、
前記特典付与決定手段により決定される前記特典の付与は、前記非持越し遊技期間にお
いて前記特別役が決定された場合に遊技者が得られる利益の少なくとも一部を補償するた
めの前記アシスト演出を実行可能に設定することである、ことを特徴とする請求項１から
４のいずれか一項に記載のスロットマシン。
【発明の詳細な説明】
【技術分野】
【０００１】
本発明は、複数種類の図柄を変動表示する複数のリールを備え、リール停止時に表示さ
れた図柄の組合せにより入賞の有無が決定される遊技を行うスロットマシンに関する。
【背景技術】
【０００２】
スロットマシンは、一般に、リールを用いた遊技に関する制御（例えば、リール駆動の
制御、役決定（役抽選）の制御、遊技メダル等の遊技媒体の受入・払出の制御、役決定の
確率等が異なる複数の遊技状態間での遊技状態の移行制御等）を行う主制御基板と、遊技
状況に応じて遊技の興趣向上等を目的とする種々の演出の制御を行う副制御基板とを備え
ており、両基板間の情報伝達は、主制御基板から副制御基板への一方向のみ行うことが可
能となっている。
【０００３】
また、スロットマシンでは、一般に、規定数の遊技媒体を投入することにより有効ライ
ンが設定され、スタートレバーを傾動させるなどのリール回転開始操作が遊技者により行
われることにより、複数のリールが回転開始する。複数のリールが回転開始してから所定
の回転速度に達すると、ストップスイッチを押下するなどのリール回転停止操作が有効化
され、遊技者がリール回転停止操作を各リール別に行うことにより、各リールが順次回転
停止するようになっている。
【０００４】
通常、リール回転操作を受け付けてから複数のリールが回転開始するまでの間に抽選に
より役が決定され、複数のリールの回転停止は、遊技者によるリール回転停止操作のタイ
ミングと、決定された役に基づいて制御される。すなわち、各リールは、リール回転停止
操作が行われたタイミングから所定の時間（通常、最大で４図柄移動し得る時間）内の任
意のタイミングで停止可能に制御されており、これにより、上記抽選により決定された（
当選した）役は可能な限り成立し（役を構成する図柄の組合せ（対応図柄）が有効ライン
上に停止表示され）、上記抽選により決定されていない（当選していない）役は成立しな
い（対応図柄が有効ライン上に停止表示されない）ようになっている。
【０００５】
また、従来のスロットマシンにおいて、遊技媒体を投入することなく遊技を再度行うこ
とが可能となる再遊技役（リプレイ役）の決定確率（当選確率）が通常の遊技状態のとき
とは変更された（高めに変更されても低めに変更されてもよい）、ＲＴ（リプレイタイム
）と称される遊技状態を設け、所定の条件が満足されたこと（例えば、通常の遊技状態中
に特定図柄が停止表示されたこと）を契機としてＲＴに移行するようにしたものが一般的
に知られている。このようなＲＴを含む複数の遊技状態間の移行は、役（再遊技役）の決
定確率の変動を伴うため主制御基板において制御されている。なお、近年のスロットマシ
ンでは、再遊技役が決定された（当選した）場合、リール回転停止操作のタイミングに関
わらず必ず再遊技役を成立させることができるように、再遊技役を構成する各図柄が複数
のリール上に配列されている。
【０００６】
一方、遊技状態がＲＴに移行された際に、遊技者が有利に遊技を行えるような情報を報
知する、ＡＴ（アシストタイム）と称される演出期間を副制御基板において設定し、この
演出期間内において所定の報知演出（アシスト演出）を行うこともなされており、このよ
うなＡＴが設定されるＲＴは、一般にＡＲＴ（アシストリプレイタイム）と称されている
。ＡＲＴ中において行われるアシスト演出としては、例えば、遊技媒体の獲得が可能とな
る小役が決定された（当選した）場合に、そのことを報知したり、決定された小役を成立
させる（対応図柄を有効ライン上に停止表示させる）ためのリール停止操作手順を報知し
たりするものなどが知られている。
【０００７】
また、従来のスロットマシンにおいて、リールを回転させたり停止させたりするための
遊技者からのリール操作が無効となり、リールが通常とは異なる状態で作動する（例えば
、逆回転したり非常にゆっくりと回転したりする）フリーズと称される状態を作り出すも
のが知られている。このフリーズは、遊技者にとって有利な状況に移行する可能性が生じ
たときなどに設定され、これにより、有利な状況へ移行することへの遊技者の期待感を高
めるなど、遊技の興趣を高める目的で利用されている。
【０００８】
また、スロットマシンでは、一般に、再遊技役や小役と称される通常の役の他に、遊技
者にとって通常よりも有利な遊技条件（例えば、所定の小役の決定確率（当選確率）が通
常よりも高くなる）が設定される契機となるボーナス役と称されるような特別役が設けら
れている。通常、このような特別役は、決定される（当選する）確率が非常に低く設定さ
れており、また、その対応図柄（例えば、「赤セブン・赤セブン・赤セブン」）は、各リ
ール上において少数（通常、１個または２個）しか配置されていない。
【０００９】
このため、特別役が決定された（当選した）場合でも、遊技者が、回転表示される図柄
を判別しながら対応図柄を停止表示させ得るタイミングを見計らって各リールに対するリ
ール回転停止操作を行うこと（以下、このような操作を「目押し」と称する）ができない
と、特別役を成立させることは難しくなっている。ただし、特別役が決定されているのに
、それを成立させることができなかった場合には、特別役が決定されたことを示す情報（
以下「特別役決定情報」と称する）が次の遊技に持ち越されるようになっており、目押し
を苦手とする遊技者に対しても、決定された特別役を成立させる機会が担保されている。
【００１０】
従来、上述した特別役決定情報が持ち越されている遊技期間（以下「持越し遊技期間」
と称する）における遊技性を向上させるために、持越し遊技期間において所定の小役が成
立または決定された（当選した）場合に、アシスト演出が行われる特別役への昇格抽選が
副制御基板において行われるように構成されたもの（例えば、下記特許文献１参照）や、
特別役が成立するように構成されたものなどが知られている。
【先行技術文献】
【特許文献】
【００１１】
【特許文献１】特開２００４−３２１４２０号公報
【発明の概要】
【発明が解決しようとする課題】
【００１２】
上述の持越し遊技期間は、特別役が決定されている（当選している）が成立していない
遊技期間であるが、このような持越し遊技期間において、特別役決定情報が持ち越されて
いない遊技期間（以下「非持越し遊技期間」と称する）であれば特別役が決定された場合
に相当する役決定結果（役抽選結果）を得る場合（以下「持越し遊技期間における特別役
決定相当の役決定結果が得られた場合」と称する）がある。
【００１３】
すなわち、スロットマシンにおける役決定（役抽選）は、通常、生成された乱数列の中
から１つの乱数（数字）を取得した後、その取得乱数が、役抽選テーブルに設定された複
数の数値範囲の中のどの数値範囲に属するかを判定し、取得乱数が属する数値範囲に対応
した役（ハズレを含む）を決定するように構成されているが、非持越し遊技期間と持越し
遊技期間とで、小役の当選確率は共通であるなど略同じ役抽選テーブルが用いられている
ことが多い。このようなケースにおいて、非持越し遊技期間であれば特別役に対応する数
値範囲の乱数を、持越し遊技期間において取得することなどが、上述の持越し遊技期間に
おける特別役決定相当の役決定結果が得られた場合に相当する。
【００１４】
このような場合、遊技者側においては、せっかく特別役決定相当の役決定結果が得られ
たのだから、何らかの特典が得られるようにして欲しいという要望がある。しかし、従来
のスロットマシンは、このような役決定結果が得られた場合、役決定結果自体を破棄した
り、ハズレの抽選結果が得られたとする処理を行っており、持越し遊技期間において特別
役決定相当の役決定結果が得られたことを特典付与に結び付けるための情報伝達の仕組み
を備えていない。このため、持越し遊技期間において特別役決定相当の役決定結果が得ら
れた場合でも、そのことに対応させて遊技者に特典を付与する機会を設定することはでき
なかった。
【００１５】
本発明はこのような事情に鑑みなされたもので、持越し遊技期間において特別役決定相
当の役決定結果が得られたことに対応させて、遊技者に特典を付与する機会を設定するこ
とが可能なスロットマシンを提供することを目的とする。
【課題を解決するための手段】
【００１６】
上記目的を達成するため本発明に係るスロットマシンは、以下の特徴を備えている。な
お、以下の特徴構成の説明では、後述する実施形態において対応する構成の一例を括弧書
きで示している。
【００１７】
本発明に係るスロットマシンは、複数種類の図柄を可変表示する複数のリール、複数の
リールの回転開始及び回転停止に関するリール操作を受け付ける操作手段、所定の役決定
開始条件が満足されたことを契機として役決定を行う役決定手段と、操作手段が受け付け
たリール操作と役決定手段による役決定の情報とに基づき複数のリールの駆動を制御する
リール制御手段とを有する主制御手段、及び、遊技の状況に応じて所定の演出制御を行う
副制御手段を備え、遊技者にとって通常よりも有利な遊技条件が設定される契機となる特
別役（例えば、第１ＢＢ役、第２ＢＢ役）が役決定により決定されたことを示す特別役決
定情報を、当該特別役が未成立となった場合に次の遊技期間に持ち越すことが可能とされ
たスロットマシンであって、
主制御手段は、特別役決定情報が持ち越されていない非持越し遊技期間における役決定
により特別役が決定された場合に、特別役決定情報が記憶される持越し特別役記憶領域と
、特別役決定情報が持ち越されている持越し遊技期間における役決定により、非持越し遊
技期間であれば特別役が決定された場合に相当する役決定結果が得られた場合に、当該役
決定結果が得られたことを示す特別役決定相当情報が記憶される非持越し特別役記憶領域
と、を備えるとともに、非持越し特別役記憶領域に記憶された特別役決定相当情報を副制
御手段へ送信し、非持越し特別役記憶領域に記憶された特別役決定相当情報は、次の遊技
期間に移行するまでに消去し、持越し特別役記憶領域に記憶された特別役決定情報は、特
別役が成立した場合には消去し、成立しなかった場合には消去せず次の遊技期間に持ち越
すように構成されており、副制御手段は、特別役決定相当情報を受信したことを契機とし
て、遊技者への特典の付与を決定する特典付与決定手段を備えている、ことを特徴とする
。
【００１８】
このような特徴構成のスロットマシンによれば、非持越し特別役記憶領域に記憶された
特別役決定相当情報を副制御手段に送信するように構成されていることにより、持越し遊
技期間において特別役決定相当の役決定結果が得られたことを副制御手段に的確に伝達す
ることができる。また、特別役決定相当情報は、非持越し特別役記憶領域に記憶され、次
の遊技期間に移行するまでに消去されるように構成されているので、持越し特別役記憶領
域に記憶され、次の遊技期間に持越し可能な特別役決定情報とは明確に区別される。した
がって、特別役決定相当情報を受信したことを契機として、副制御手段の特典付与手段が
遊技者への特典の付与を決定するように構成されている本発明のスロットマシンによれば
、持越し遊技期間において特別役決定相当の役決定結果が得られたことに対応させて、遊
技者に特典を付与する機会を設定することが可能となる。例えば、役決定により特別役が
決定されても、その対応図柄をなかなか揃えることができないために持越し遊技期間が長
くなりがちな初心者等の遊技者が、その持越し遊技期間において特別役決定相当の役決定
結果を得た場合にも、そのことに対応させて特典を付与する機会を設定することができる
ので、再度の特別役決定というせっかくのチャンスを逃してしまうという、いわゆる無駄
引き状態が生じたことの補償を行うことができる。
【００１９】
なお、本発明において「役決定」とは、予め設定された複数種類の役（ハズレも含む）
の中から、１つまたは複数の役を無作為に選択するために、電子機器等を用いて実行され
る抽選等の選択行為を意味している。また、「特別役が決定された」等における「決定さ
れた」とは、予め設定された複数種類の役の中から選択されたこと（抽選では「当選した
こと」）を意味している。ただし、決定されたタイミングについては、選択行為の過程の
中の種々の時点（例えば、乱数を用いた抽選の場合、スロットマシンが、乱数列の中から
１つの乱数を取得した時点や、取得した乱数を記憶領域に格納した時点、取得した乱数が
、抽選テーブル上に設定された複数の数値範囲のどの数値範囲に属するかを判別した時点
、取得した乱数が属する数値範囲に対応する役を判別した時点、判別した結果を記憶領域
に格納した時点等）とすることができる。
【００２０】
また、本発明において「特別役が成立した」、「成立しなかった」等における「成立」
とは、複数のリールにおいて、役を構成する図柄の組合せ（対応図柄）が有効ライン（有
効とされた入賞ライン）上に停止表示されることを意味する。ただし、成立のタイミング
については、例えば、役の対応図柄を有効ライン上に停止表示させることが可能なタイミ
ングでリール停止操作が行われた時点や、役の対応図柄が有効ライン上に停止表示された
時点、スロットマシンが、役の対応図柄が有効ライン上に停止表示されたことを認識した
時点や、認識した結果を記憶領域に格納した時点等、適宜のタイミングとすることができ
る。
【００２１】
また、本発明において「非持越し特別役記憶領域に記憶された特別役決定相当情報は、
次の遊技期間に移行するまでに消去」における「次の遊技期間に移行するまでに」とは、
非持越し特別役記憶領域に特別役決定相当情報が記憶された時点から、次の遊技が開始さ
れる時点（例えば、遊技媒体がベットされた時点やリール回転開始操作を受け付けた時点
）までの期間を意味する。
【００２２】
また、本発明に係るスロットマシンにおいて、リール制御手段は、非持越し特別役記憶
領域に特別役決定相当情報が記憶された場合と記憶されなかった場合とで、複数のリール
の駆動制御を異ならせるように構成されている、とすることができる。
【００２３】
この態様のスロットマシンによれば、非持越し特別役記憶領域に特別役決定相当情報が
記憶された場合には、記憶されなかった場合とは異なるリール駆動制御、例えば、記憶さ
れなかった場合には停止しない位置に所定の図柄が停止表示されるようなリール駆動制御
が行われることにより、持越し遊技期間において特別役決定相当の役決定結果が得られ、
それにより特典が付与される機会が得られたことを遊技者に報知することが可能となる。
【００２４】
また、本発明に係るスロットマシンにおいて、特別役として、対応図柄がそれぞれ異な
る複数の特別役が設定されており、非持越し特別役記憶領域に記憶される特別役決定相当
情報は、非持越し遊技期間であれば複数の特別役のうちの何れの特別役が決定された場合
に相当する役決定結果が得られたかということを判別可能に構成されており、リール制御
手段は、非持越し特別役記憶領域に記憶された特別役決定相当情報の内容に応じて、複数
のリールの駆動制御を異ならせるように構成されている、とすることができる。
【００２５】
この態様のスロットマシンによれば、非持越し特別役記憶領域に記憶された特別役決定
相当情報の内容に応じて、複数のリールの駆動制御を異ならせること、例えば、或る特別
役が決定された場合に相当する役決定結果が得られたことを示す特別役決定相当情報が記
憶された場合には、所定の図柄を或る位置に停止表示させるように、別の特別役が決定さ
れた場合に相当する役決定結果が得られたことを示す特別役決定相当情報が記憶された場
合には、所定の図柄を別の位置に停止表示させるようにすることにより、何れの特別役が
決定された場合に相当する役決定結果が得られたかということを、遊技者に報知すること
が可能となる。
【００２６】
また、本発明に係るスロットマシンにおいて、主制御手段は、非持越し特別役記憶領域
に特別役決定相当情報が記憶されることを契機として、リール操作が無効状態となり複数
のリールが通常とは異なる作動状態(動かない状態を含む)となるフリーズの決定を行うフ
リーズ決定手段と、フリーズ決定手段によりフリーズ実行の決定が行われたことを契機と
して、リール操作の少なくとも一部を無効化するとともにフリーズ実行の決定に対応した
所定のフリーズパターンに従って複数のリールの駆動を制御する(動かないように制御す
る場合を含む)フリーズ実行制御手段とを備えている、とすることができる。
【００２７】
この態様のスロットマシンによれば、所定のフリーズパターン（例えば、第１フリーズ
のパターン、第２フリーズのパターン）に従って複数のリールの駆動を制御することによ
り、持越し遊技期間において特別役決定相当の役決定結果が得られ、それにより特典が付
与される機会が得られたことを遊技者に報知することが可能となる。
【００２８】
また、本発明に係るスロットマシンにおいて、副制御手段は、所定の役の成否をアシス
トするアシスト演出（例えば、押し順ナビ演出）を行うアシスト演出手段（例えば、演出
実行手段１１１）を備えており、特典付与決定手段により決定される特典の付与は、非持
越し遊技期間において特別役が決定された場合に遊技者が得られる利益の少なくとも一部
を補償するためのアシスト演出を実行可能に設定することである、とすることができる。
【００２９】
この態様のスロットマシンによれば、アシスト演出を実行することにより、非持越し遊
技期間において特別役が決定された場合に遊技者が得られる利益の少なくとも一部を補償
することが可能となるので、アシスト演出が実行されることに対する遊技者の期待感を高
めることが可能となる。
【発明の効果】
【００３０】
本発明に係るスロットマシンによれば、非持越し特別役記憶領域に記憶された特別役決
定相当情報を主制御手段から副制御手段に送信し、副制御手段の特典付与手段が、この特
別役決定相当情報を受信したことを契機として、遊技者への特典の付与を決定するように
構成されているので、持越し遊技期間において特別役決定相当の役決定結果が得られたこ
とに対応させて、遊技者に特典を付与する機会を設定することが可能となる。
【図面の簡単な説明】
【００３１】
【図１】本発明の一実施形態に係るスロットマシンの正面図である。
【図２】図１に示すスロットマシンの全体構成を概略的に示すブロック図である。
【図３】図１に示すスロットマシンのリールの図柄配置を示す図である。
【図４】図１に示すスロットマシンの機能を概念的に示すブロック図である。
【図５】図１に示すスロットマシンの役決定情報記憶手段の構成を示す図である。
【図６】図１に示すスロットマシンにおいて設定される遊技状態の関係を示す図である。
【図７】図１に示すスロットマシンにおいて設定される役の種類を示す図である。
【図８】非ＲＴ中非持越し遊技期間の抽選テーブルを示す図である。
【図９】非ＲＴ中持越し遊技期間の抽選テーブルを示す図である。
【図１０】ＲＴ中持非越し遊技期間の抽選テーブルを示す図である。
【図１１】ＲＴ中持越し遊技期間の抽選テーブルを示す図である。
【図１２】ＢＢ中遊技期間の抽選テーブルを示す図である。
【図１３】押し順の種類と正解押し順手順と対応する小役の種類を示す押し順対応表の図である。
【図１４】押し順の正解時と不正解時の停止表示図柄の一例を示す図である。
【図１５】アシスト可能回数上乗せ抽選の態様の一例を示す図である。
【図１６】アシスト可能回数上乗せ抽選演出の態様の一例を示す図である。
【図１７】主制御手段による基本制御処理の流れを示すフローチャートである。
【図１８】役決定結果情報更新処理の流れを示すフローチャートである。
【図１９】遊技開始受付開始処理の流れを示すフローチャートである。
【図２０】役決定処理の流れを示すフローチャートである。
【図２１】フリーズ設定処理の流れを示すフローチャートである。
【図２２】遊技状態の設定処理の流れを示すフローチャートである。
【図２３】副制御手段による演出制御処理の流れを示すフローチャートである。
【図２４】非ＲＴ中演出処理の流れを示すフローチャートである。
【図２５】上乗せ抽選／演出処理の流れを示すフローチャートである。
【図２６】ＲＴ中演出処理の流れを示すフローチャートである。
【発明を実施するための形態】
【００３２】
以下、上記図面を参照して本発明の実施形態について説明する。まず、本発明の一実施
形態に係るスロットマシンの全体的な構成について、図１〜図３を参照して説明する。な
お、以下の説明において、「役が成立する」及び「役の成立」等と記載する場合の「成立
」とは、役決定により決定された役（遊技メダルの払出しがある役（小役等の入賞役）か
、払出しのない役（再遊技役やＢＢ役）かは問わない）を構成する図柄の組合せ（対応図
柄）が、後述の有効ライン上に停止表示された時点を指す概念として用いている。
【００３３】
＜スロットマシンの外観＞
本実施形態に係るスロットマシン１は、図１に示すように、本体筐体の前面に開閉可能
に取り付けられた前扉２を備えており、この前扉２の前面には、上部から順に、上パネル
アセンブリ１０、中パネルアセンブリ２０、下パネルアセンブリ３０及び受け皿アセンブ
リ４０が取り付けられている。
【００３４】
上記上パネルアセンブリ１０の中央部には、その裏面側に配された画像表示装置１１（
図２参照）の表示画面１１ａが前方を臨むように配置されており、その周辺部には、第１
演出ランプ１２、第２演出ランプ１３ａ，１３ｂ、第３演出ランプ１４ａ，１４ｂが配置
されている。また、表示画面１１ａの下方左右には、一対の上部スピーカ１５ａ，１５ｂ
が配置されている。
【００３５】
上記中パネルアセンブリ２０の中央部には、本体筐体内に横並びに配設された３個のリ
ール３ａ，３ｂ，３ｃの表面が臨む表示窓Ｗが設けられており、この表示窓Ｗの下方には
、遊技に供する遊技メダルが投入されるメダル投入口２１、クレジットされた範囲内で遊
技に供する遊技メダルを１枚投入するための１−ＢＥＴスイッチ２２、遊技に供する遊技
メダルを最大許容投入枚数（例えば３枚）投入するためのＭＡＸ−ＢＥＴスイッチ２３、
クレジットされた遊技メダルを払い出すための貯留メダル精算スイッチ２４、全リール３
ａ，３ｂ，３ｃを一斉に回転開始させるためのスタートレバー２５、各リール３ａ，３ｂ
，３ｃの回転を個別に停止させるための３個のストップスイッチ２６ａ，２６ｂ，２６ｃ
、及びメダル投入口２１に投入した遊技メダルを返却するためのリジェクトスイッチ２７
等が設けられている。また、メダル投入口２１の内部には、遊技メダルを検知するための
投入メダルセンサ２８（図２参照）が設けられている。
【００３６】
上記表示窓Ｗは、３個のリール３ａ，３ｂ，３ｃが全て停止した際に、リール毎に３個
の図柄、合計９個の図柄が遊技者から視認可能に表示されるように構成されている。また
、表示窓Ｗには、表示窓Ｗを横断するようにして合計５本の入賞ライン２９ａ，２９ｂ，
２９ｃ，２９ｄ，２９ｅが表示可能に設けられている。入賞ライン２９ａは、左上段、中
央中段及び右上段の各図柄表示領域を結ぶＶ字状のラインであり、入賞ライン２９ｂは、
左上段、中央中段及び右下段の各図柄表示領域を結ぶ右下がりのラインであり、入賞ライ
ン２９ｃは、左中段、中央中段及び右中段の各図柄表示領域を結ぶ横一直線のラインであ
る。また、入賞ライン２９ｄは、左下段、中央中段及び右上段の各図柄表示領域を結ぶ右
上がりのラインであり、入賞ライン表示２９ｅは、左下段、中央中段及び右下段の各図柄
表示領域を結ぶ逆Ｖ字状のラインである。各入賞ライン２９ａ，２９ｂ，２９ｃ，２９ｄ
，２９ｅは、遊技に供された遊技メダル数によって有効となるライン数が変化し、最大許
容投入枚数がベットされることにより、５本全てが有効となる。以下、有効となった入賞
ラインを有効ラインと称することがある。
【００３７】
上記下パネルアセンブリ３０の中央部には、透明な下パネルカバー３１が取り付けられ
ており、その左右両端部には、飾りランプ３２ａ，３２ｂが配置されている。なお、下パ
ネルカバー３１の裏面側には、所定の図柄が設けられた半透明の下パネルベース及び下パ
ネル照明用蛍光灯（いずれも図示せず）が取り付けられており、この下パネル照明用蛍光
灯を点灯させることにより、下パネルベースの図柄を後面側から照明するように構成され
ている。
【００３８】
上記受け皿アセンブリ４０には、遊技メダルを払い出すための遊技メダル払出口４１が
開設されているとともに、遊技メダル払出口４１に臨むようにして遊技メダルを貯留する
ための遊技メダル貯留皿４２が設けられており、この遊技メダル貯留皿４２の左には、灰
皿４３が設けられている。また、遊技メダル払出口４１の左右には、受け皿アセンブリ４
０の背面側に配置された一対の下部スピーカ４４ａ，４４ｂ（図２参照）の前面に対向し
て、多数の小孔からなるスピーカ口４５ａ，４５ｂが形成されている。
【００３９】
さらに、本体筐体内には、所定の賞態様が構成された場合に遊技メダルを払い出すため
のホッパー５０（図２参照）が設けられており、このホッパー５０には遊技メダルを検出
するためのメダル検出部５１（図２参照）が設けられている。
【００４０】
＜リール＞
各リール３ａ，３ｂ，３ｃはそれぞれステッピングモータ３５ａ，３５ｂ，３５ｃ（図
２参照）の駆動により回転するように構成されている。また、各リール３ａ，３ｂ，３ｃ
は透光性を有する部材により構成されており、その外周面には、複数種類の図柄（図３参
照）が表示された、透光性を有するリールテープが貼り付けられている。また、各リール
３ａ，３ｂ，３ｃの内面側には、バックランプ３８ａ，３８ｂ，３８ｃ（図２参照）が配
設されており、このバックランプ３８ａ，３８ｂ，３８ｃを点灯させることにより、各リ
ール３ａ，３ｂ，３ｃの図柄を内面側から照明するように構成されている。
【００４１】
各リール３ａ，３ｂ，３ｃが表示する図柄は、図３に示すように構成されている。すな
わち、「ベル」、「リプレイ」、「スイカ」、「赤チェリー」、「青チェリー」、「黒チ
ェリー」、「バー」、「菊」、「赤セブン」、「青セブン」の１０種類の図柄が所定数ず
つ計２１個、各リール３ａ，３ｂ，３ｃにそれぞれ表示されている。なお、図３中におけ
る左リール、中リール及び右リールとは、リール３ａ，リール３ｂ及びリール３ｃをそれ
ぞれ表している。
【００４２】
＜遊技を行うための基本操作＞
スロットマシン１で遊技を行うには、まず実際にメダル投入口２１に遊技メダルを投入
するか、１−ＢＥＴスイッチ２２またはＭＡＸ−ＢＥＴスイッチ２３のいずれかを操作す
ることによりクレジットの範囲内で遊技に供するための遊技メダルの設定ＢＥＴ数を設定
し、そのＢＥＴ数に応じた有効ラインを決定する。本実施形態では、説明を簡単とするた
め、５本の入賞ライン２９ａ，２９ｂ，２９ｃ，２９ｄ，２９ｅが全て有効とされる、遊
技メダルが３枚投入された状態（ＭＡＸ−ＢＥＴの状態）のみで遊技が行われるものとし
て、以下では説明するが、例えば、１枚の遊技メダルが投入された場合には、入賞ライン
２９ｃのみを有効とし、２枚の遊技メダルが投入された場合には、３本の入賞ライン２９
ｂ，２９ｃ，２９ｄを有効とするなど、有効ラインの設定はメダルの投入枚数に応じて適
宜変更することが可能である。また、遊技状態に応じて、ＢＥＴ数を変えて遊技を行うよ
うにすることも可能である。例えば、通常の遊技状態（例えば、後述する非ＲＴ遊技状態
）や、再遊技（リプレイ）の確率が高まる遊技状態（例えば、後述するＲＴ遊技状態）で
は３枚のＢＥＴ数で遊技を行い、遊技者にとって有利な特別遊技状態（例えば、後述する
ＢＢ遊技状態）中は、１枚のＢＥＴ数で遊技を行うようにすることなどが挙げられる。
【００４３】
次に、遊技者がスタートレバー２５を操作すると、各リール３ａ，３ｂ，３ｃが回転を
開始し、リール３ａ，３ｂ，３ｃの外周表面に表示された複数種類の図柄が表示窓Ｗ内を
上下に（通常、上から下に）移動表示される。そして、リール３ａ，３ｂ，３ｃの回転が
所定の速度に達すると各ストップスイッチ２６ａ，２６ｂ，２６ｃが有効化され、遊技者
が各ストップスイッチ２６ａ，２６ｂ，２６ｃを操作すると、対応するリール３ａ，３ｂ
，３ｃの回転がそれぞれ停止する。
【００４４】
ここで、有効とされた入賞ライン２９ａ，２９ｂ，２９ｃ，２９ｄ，２９ｅ上に停止表
示された図柄の組合せが予め定めた入賞態様（遊技メダルを獲得することができる役の態
様）となっている場合には、各入賞態様に対応した枚数の遊技メダルがホッパー５０によ
り払い出されるか、またはクレジットとして加算される。
【００４５】
＜制御基板と各機器との接続＞
スロットマシン１では、遊技に関する主たる制御が図２に示す主制御基板６０上に配設
された制御回路により行われ、画像表示装置１１による演出画像表示制御、上部スピーカ
１５ａ，１５ｂ等のスピーカからの音声発生制御及びバックランプ３８ａ，３８ｂ，３８
ｃ等のランプによる照明制御等は、副制御基板７０上に配設された制御回路により行われ
るように構成されている。また、両制御基板６０，７０間の情報伝達は、主制御基板６０
から副制御基板７０への一方向のみ行うことが可能となっている。
【００４６】
主制御基板６０には、遊技に関する各種の演算処理を行うメインＣＰＵ６１と、制御プ
ログラム等を記憶したＲＯＭ６２と、一時記憶領域であるＲＡＭ６３とが配設されており
、ＲＯＭ６２に記憶された制御プログラムに従って各駆動回路等が動作することにより、
スロットマシン１における遊技に関する主たる制御が行われるようになっている。
【００４７】
上記メインＣＰＵ６１には、駆動パルスを発生するためのクロックパルス発生器６４、
クロックパルス発生器６４で発生した駆動パルスを分周するための分周器６５、小役やビ
ッグボーナス等の大役の抽選に用いる乱数を発生するための乱数発生器６６、及び乱数発
生器６６で発生した乱数をサンプリングして抽選を行うためのサンプリング回路６７が接
続されている。また、メインＣＰＵ６１は、インターフェイス回路６８を介して、モータ
駆動回路３６、ホッパー駆動回路５２及び副制御基板７０に対して信号を送信するととも
に、リール位置検出回路３７、払出完了信号回路５３、リセットスイッチ８１及び設定用
鍵型スイッチ８２からの信号を受信するように構成されている。
【００４８】
ここで、モータ駆動回路３６は、各リール３ａ，３ｂ，３ｃを回転駆動するステッピン
グモータ３５ａ，３５ｂ，３５ｃの回転・停止制御を行うための回路であり、リール位置
検出回路３７は、各リール３ａ，３ｂ，３ｃに設置されたセンサ（図示せず）からの検出
信号に基づき、各リール３ａ，３ｂ，３ｃの回転位置を検出する回路である。また、ホッ
パー駆動回路５２は、小役等の賞態様が成立した際に、ホッパー５０を駆動して遊技メダ
ルの払い出しを行わせる回路であり、払出完了信号回路５３は、ホッパー５０から所定数
の遊技メダルが払い出されたことがメダル検出部３１により検出された際に、主制御基板
６０に払出完了信号を送信する回路である。また、リセットスイッチ８１は、スロットマ
シン１においてエラーが発生した際等に、主制御基板６０に搭載された各回路等をリセッ
トするためのスイッチであり、設定用鍵型スイッチ８２は、役の発生確率等を例えば６段
階で設定するためのスイッチである。
【００４９】
また、メインＣＰＵ６１には、スイッチ基板９０に接続されているか、またはスイッチ
基板９０上に搭載されている、リール停止信号回路９１、スタートレバー２５、投入メダ
ルセンサ２８、１−ＢＥＴスイッチ２２、ＭＡＸ−ＢＥＴスイッチ２３、貯留メダル精算
スイッチ２４及びリジェクトスイッチ２７からの各信号が、インターフェイス回路６８を
介して入力されるようになっている。
【００５０】
一方、副制御基板７０には、演出に関する各種の演算処理を行うサブＣＰＵ７１と、制
御プログラム等を記憶したＲＯＭ７２と、一時記憶領域であるＲＡＭ７３とが配設されて
おり、ＲＯＭ７２に記憶された制御プログラムに従って各駆動回路等が動作することによ
り、スロットマシン１における演出に関する制御が行われるようになっている。
【００５１】
上記サブＣＰＵ７１は、インターフェイス回路７４を介して、主制御基板６０からの各
種信号を受信するとともに、表示装置制御回路１６、スピーカ制御回路１７及びランプ制
御回路１８に対し信号を送信するように構成されている。ここで、表示装置制御回路１６
は、画像表示装置１１を制御して所定の演出画像を表示させる回路であり、スピーカ制御
回路１７は、上部スピーカ１５ａ，１５ｂ等のスピーカから発生させる音声等の種類や音
量を制御する回路であり、ランプ制御回路１８は、バックランプ３８ａ，３８ｂ，３８ｃ
等のランプの点灯を制御する回路である。
【００５２】
次に、主に図４〜図１６を参照しながら、本実施形態に係るスロットマシン１の特徴構
成について説明する。
【００５３】
＜機能ブロックの説明＞
図４に示すように、本実施形態に係るスロットマシン１は、機能的な観点から説明すれ
ば主に、複数種類の図柄を可変表示する３個のリール３ａ，３ｂ，３ｃの回転開始及び回
転停止に関する遊技者からのリール操作（例えば、スタートレバー２５の傾動操作やスト
ップスイッチ２６ａ，２６ｂ，２６ｃの押圧操作）を受け付ける操作手段９５と、各リー
ル３ａ，３ｂ，３ｃを用いた遊技に関する制御を行う主制御手段１００と、遊技の状況に
応じて所定の演出制御を行う副制御手段１１０とを備えてなる。
【００５４】
上記主制御手段１００は、役決定手段１０１、役決定情報記憶手段１０２、フリーズ決
定手段１０３、フリーズ実行制御手段１０４、リール制御手段１０５、遊技状態制御手段
１０６、及び情報送信手段１０７を備えている。なお、主制御手段１００における上述の
各手段は、図２に示す主制御基板６０上に配されたメインＣＰＵ６１、ＲＯＭ６２、ＲＡ
Ｍ６３、電子回路等のハードウエア及びＲＯＭ６２等に格納された制御プログラム等のソ
フトウエアにより構成されるものを機能的に表したものである。
【００５５】
上記役決定手段１０１は、スタートレバー２５が傾動操作され、その信号が入力された
際に、予め設定された役（ハズレを含む）の中から１つまたは複数の役を選択する役決定
を行うように構成されている。なお、この役決定は、図２に示す乱数発生器６６及びサン
プリング回路６７を用いた乱数抽選により行われる。具体的には、乱数発生器６６により
生成された乱数列の中から、サンプリング回路６７によって１つの乱数（数字）を取得し
た後、その取得乱数が、役抽選テーブル（図８〜図１１参照）に設定された複数の数値範
囲の中のどの数値範囲に属するのかを判定し、取得乱数が属する数値範囲に対応した役を
当選役として決定するように構成されている。
【００５６】
上記役決定情報記憶手段１０２は、上記役決定手段１０１による役決定（乱数抽選）の
結果を示す情報を記憶するように構成されており、図５に示すように、持越し特別役記憶
領域１０２１、非持越し特別役記憶領域１０２２、及び小役・再遊技役記憶領域１０２３
を備えている。
【００５７】
持越し特別役記憶領域１０２１は、遊技者にとって通常よりも有利な遊技条件が設定さ
れる契機となる特別役（後述の第１ＢＢ役または第２ＢＢ役）が役決定により決定された
ことを示す特別役決定情報（後述の第１ＢＢ役決定情報または第２ＢＢ役決定情報）が持
ち越されていない非持越し遊技期間において、役決定により上記特別役が決定された場合
に、上記特別役決定情報が記憶される領域である。一方、非持越し特別役記憶領域１０２
２は、上記特別役決定情報が持ち越されている持越し遊技期間（後述の非ＲＴ中持越し遊
技期間またはＲＴ中持越し遊技期間）における役決定により、非持越し遊技期間であれば
上記特別役が決定された場合に相当する役決定結果が得られた場合に、当該役決定結果が
得られたことを示す特別役決定相当情報（後述の第１ＢＢ役決定相当情報または第２ＢＢ
役決定情報）が記憶される領域である。また、小役・再遊技役記憶領域１０２３は、役決
定により再遊技役または小役（後述の小役１〜１２）が決定された場合に、何れの役（再
遊技役または小役）が決定されたかということを示す小役・再遊技役決定情報が記憶され
る領域である。
【００５８】
上記フリーズ決定手段１０３（図４参照）は、上記役決定情報記憶手段１０２の非持越
し特別役記憶領域１０２２に上記特別役決定相当情報が記憶されることを契機として、リ
ール操作が無効状態となり各リール３ａ，３ｂ，３ｃが通常とは異なる作動状態となるフ
リーズ（後述の第１フリーズまたは第２フリーズ）の決定を行うように構成されている。
【００５９】
上記フリーズ実行制御手段１０４は、上記フリーズ決定手段１０３によりフリーズ実行
の決定が行われた場合に、リール操作を無効化するとともにフリーズ実行の決定に対応し
た所定のフリーズパターン（後述の第１フリーズのパターンまたは第２フリーズのパター
ン）に従って各リール３ａ，３ｂ，３ｃの駆動を制御するように構成されている。
【００６０】
上記リール制御手段１０５は、スタートレバー２５が傾動操作され、その信号が入力さ
れた際に、各リール３ａ，３ｂ，３ｃを一斉に回転開始させるとともに、ストップスイッ
チ２６ａ，２６ｂ，２６ｃが順次押圧操作され、それらの各信号が入力された際に、対応
する各リール３ａ，３ｂ，３ｃを順次回転停止させるように構成されている。なお、各リ
ール３ａ，３ｂ，３ｃの回転停止制御は、ストップスイッチ２６ａ，２６ｂ，２６ｃが操
作されたタイミングから、各リール３ａ，３ｂ，３ｃが最大で４図柄移動する範囲内で行
われる。すなわち、役決定手段１０１による役決定の結果、所定の役が決定されている場
合には、その決定された役の対応図柄が有効ライン上に停止表示されるように、ハズレの
場合には、設定された何れの役の対応図柄も有効ライン上に停止表示されないよう停止制
御がなされるようになっている。例えば、図３に示すように「ベル」の図柄は、各リール
３ａ，３ｂ，３ｃにおいて、５図柄以内毎に配置されているので、「ベル・ベル・ベル」
の図柄組合せは、ストップスイッチ２６ａ，２６ｂ，２６ｃの操作タイミングに関わらず
、必ず、有効ライン上に停止表示させることが可能となっている。
【００６１】
上記遊技状態制御手段１０６は、後述する条件Ｐ〜Ｓの何れかが満足されることを契機
として、後述する非ＲＴ遊技状態、ＢＢ遊技状態、ＲＴ遊技状態の３つの遊技状態のうち
の何れかの遊技状態を設定するように構成されている。
【００６２】
上記情報送信手段１０７は、遊技に関する各種情報（例えば、スタートレバー２５やス
トップスイッチ２６ａ，２６ｂ，２６ｃが操作されたことの情報、役決定結果を示す情報
（上述の特別役決定相当情報を含む）及び当選役の成立の有無の情報、遊技状態の設定情
報等）を副制御手段１１０に送信するように構成されている。
【００６３】
一方、上記副制御手段１１０は、演出実行手段１１１、アシスト回数制御手段１１２、
アシスト上乗せ回数決定手段１１３、及び情報受信手段１１４を備えている。なお、副制
御手段１１０における上述の各手段は、図２に示す副制御基板７０上に配されたサブＣＰ
Ｕ７１、ＲＯＭ７２、ＲＡＭ７３、電子回路等のハードウエア及びＲＯＭ７２に格納され
た制御プログラム等のソフトウエアにより構成されるものを機能的に表したものである。
【００６４】
上記演出実行手段１１１は、本実施形態におけるアシスト演出手段を構成するものであ
り、後述するＲＴ遊技状態中の期間において、役決定手段１０１による役決定により、後
述する押し順選択小役が決定された場合に、遊技者によるストップスイッチ２６ａ，２６
ｂ，２６ｃの操作順（押し順）を報知するアシスト演出（後述の押し順ナビ演出）を、画
像表示装置１１の表示画面１１ａ上において行うように構成されている。
【００６５】
上記アシスト回数制御手段１１２は、上記演出実行手段１１１がＲＴ遊技状態中にアシ
スト演出を行うことが可能な回数（以下「アシスト可能回数」と称する）を設定、管理す
るように構成されている。
【００６６】
上記アシスト上乗せ回数決定手段１１３は、本実施形態における特典付与手段を構成す
るものであり、上述の特別役決定相当情報を受信したことを契機として、上記アシスト可
能回数の上乗せ分（アシスト上乗せ回数）を決定する抽選（後述のアシスト可能回数上乗
せ抽選）を行い、そのアシスト上乗せ回数を、上述の非持越し遊技期間において特別役が
決定された場合に遊技者が得られる利益の少なくとも一部を補償するための特典として、
遊技者に付与するように構成されている。
【００６７】
上記情報受信手段１１４は、主制御手段１００から送信された遊技に関する各種情報を
受信し、演出実行手段１１１、アシスト回数制御手段１１２及びアシスト上乗せ回数決定
手段１１３に対し必要な情報を伝達するように構成されている。
【００６８】
なお、本実施形態では、上記アシスト可能回数は、ＲＴ遊技状態に移行した時点で所定
回数（例えば、初期値３０回に、後述のアシスト可能回数上乗せ抽選により決定されたア
シスト上乗せ回数分を加算した回数）に設定され、以降、アシスト演出が行われたか否か
に関係なく、遊技が行われる毎にアシスト可能回数が１つずつ減少し、このアシスト可能
回数が０となるとアシスト演出が終了するように構成されている。
【００６９】
＜遊技状態の設定＞
上述したように遊技状態制御手段１０５は、非ＲＴ遊技状態、ＢＢ遊技状態及びＲＴ遊
技状態の３つの遊技状態（図６参照。なお、図６では「遊技状態」を省略して表記してい
る）のうちの何れかの遊技状態に設定するように構成されている。
【００７０】
非ＲＴ遊技状態は、スロットマシン１において標準となる通常の遊技状態であり、後述
する再遊技役の当選確率が基準値（例えば、１／７）に設定されている。
【００７１】
ＲＴ遊技状態は、非ＲＴ遊技状態中において、条件Ｐが満足されたことを契機として設
定される遊技状態であり、後述する再遊技役の当選確率が非ＲＴ遊技状態中よりも高い値
（例えば、１／１．５）に設定されている。また、このＲＴ遊技状態中の期間内では、演
出実行手段１１１によるアシスト演出（押し順ナビ演出）を実行することが許容されてい
る。ここで、条件Ｐとは、各リール３ａ，３ｂ，３ｃの停止表示図柄の有効ライン上での
組合せが、「ベル・赤チェリー・リプレイ」、「ベル・菊・リプレイ」または「ベル・バ
ー・リプレイ」である場合とされる。
【００７２】
なお、これら３通りの図柄の組合せは、いずれも、後述するＳＢ役のいわゆる「取りこ
ぼし目」で表示される図柄の組合せとなっている。すなわち、役決定によりＳＢ役が当選
している場合には、ストップスイッチ２６ａ，２６ｂ，２６ｃの操作タイミングに応じて
、ＳＢ役の対応図柄（「青セブン・青チェリー・赤チェリー」）を引き込むことが可能な
場合はその対応図柄が有効ライン上に停止表示され、引き込めない場合は、「ベル・赤チ
ェリー・リプレイ」、「ベル・菊・リプレイ」または「ベル・バー・リプレイ」の図柄の
組合せが有効ライン上に停止表示されるように、各リール３ａ，３ｂ，３ｃの駆動が制御
されるようになっている。
【００７３】
また、ＲＴ遊技状態において、条件Ｓが満足されたことを契機として、非ＲＴ遊技状態
に移行されるように設定されている。ここで、条件Ｓとは、各リール３ａ，３ｂ，３ｃの
停止表示図柄の有効ライン上での組合せが、「リプレイ・赤チェリー・リプレイ」、「リ
プレイ・バー・リプレイ」または「リプレイ・菊・リプレイ」である場合とされる。これ
ら３通りの図柄の組合せは、いずれも、後述する押し順選択小役の当選時に、押し順が不
正解となった場合に有効ライン上に表示される図柄の組合せとなっており、押し順が不正
解の場合には、「リプレイ・赤チェリー・リプレイ」、「リプレイ・バー・リプレイ」ま
たは「リプレイ・菊・リプレイ」が左中段・中中段・右中段の横一直線の有効ライン上に
停止表示されるとともに、左上段・中上段・右上段の横一直線のライン（無効ライン）上
に「ベル・ベル・ベル」が停止表示されるようになっている。
【００７４】
ＢＢ遊技状態は、非ＲＴ遊技状態中またはＲＴ遊技状態中において、条件Ｑが満足され
たことを契機として設定される、遊技者にとって通常よりも有利な遊技条件が設定される
特別遊技状態である。本実施形態において、遊技者にとって通常よりも有利な遊技条件と
は、所定の小役（後述の小役４）の当選確率が１に設定されることとされる。ここで、条
件Ｑとは、各リール３ａ，３ｂ，３ｃの停止表示図柄の有効ライン上での組合せが、後述
する第１ＢＢ役の対応図柄（「赤セブン・赤セブン・赤セブン」）または第２ＢＢ役の対
応図柄（「赤セブン・赤セブン・青セブン」）である場合とされる。
【００７５】
また、ＢＢ遊技状態中に条件Ｒが満足されたことを契機として、非ＲＴ遊技状態に移行
されるようになっている。ここで、条件Ｒとは、ＢＢ遊技状態中に所定枚数（第１ＢＢ役
の成立によりＢＢ遊技状態が設定された場合は３００枚以上、第２ＢＢ役の成立によりＢ
Ｂ遊技状態が設定された場合は２００枚以上）の遊技メダルが払い出されたこととされる
。
【００７６】
＜役の種類＞
本実施形態においては、図７に示すように、第１ＢＢ役及び第２ＢＢ役の２つの特別役
（大役）と、１つのＳＢ役と、小役１〜１２までの１２の小役と、再遊技役との計１７の
役が設定され、それぞれの役が成立するための各リール３ａ，３ｂ，３ｃによる表示図柄
の組合せは、図７に示すように設定されている。
【００７７】
第１ＢＢ役及び第２ＢＢ役は、その対応図柄が有効ライン上停止表示された際には、遊
技メダルは払い出されず、次の遊技からＢＢ遊技状態に設定されることを示す役となって
いる。ＢＢ遊技状態に設定されている期間は、第１ＢＢ役及び第２ＢＢ役において、それ
ぞれ遊技メダルが３００枚以上及び２００枚以上払い出されるまでの期間である。
【００７８】
また、ＳＢ役は、非ＲＴ遊技状態からＲＴ遊技状態への移行の端緒となる役である。す
なわち、ＳＢ役の対応図柄である「青セブン・青チェリー・赤チェリー」は、各リール３
ａ，３ｂ，３ｃに１つずつしか設けられていない図柄の組合せであり、当選した場合でも
有効ライン上に停止表示されにくい役（引き込みにくい役）となっている。また、上述し
たように、ＳＢ役の取りこぼし目で有効ライン上に停止表示される「ベル・赤チェリー・
リプレイ」、「ベル・菊・リプレイ」または「ベル・バー・リプレイ」の図柄の組合せは
、非ＲＴ遊技状態からＲＴ遊技状態へ移行する場合の条件Ｐを満足する図柄となっている
。このため、非ＲＴ遊技状態においてＳＢ役が当選した場合には、高い確率で条件Ｐが満
足されて非ＲＴ遊技状態からＲＴ遊技状態へ移行するようになっている。なお、ＳＢ役の
対応図柄である「青セブン・青チェリー・赤チェリー」が有効ライン上に停止表示された
際には、遊技メダルは払い出されず、次回も同じ遊技状態に設定されるようになっている
。
【００７９】
小役１は、リール３ａ（左リール）において、「赤チェリー」の図柄が有効ライン上に
停止表示されさえすれば、リール３ａ，３ｂにおいて停止表示される図柄が何であっても
成立する役である（図７中の「赤チェリー・−・−」の「−」は任意の図柄であることを
示している）。また、小役２は、その対応図柄が「スイカ・スイカ・スイカ」とされた役
であり、小役３は、その対応図柄が「ベル・ベル・ベル」とされた役である。
【００８０】
なお、小役３を構成する図柄「ベル」は、上述したように、各リール３ａ，３ｂ，３ｃ
上において５図柄以内毎に配置されているので、小役３が当選した場合、その対応図柄「
ベル・ベル・ベル」は、リール回転停止操作（ストップスイッチ２６ａ，２６ｂ，２６ｃ
の操作）のタイミングに関わらず、有効ライン上に停止表示されるようにリール制御する
ことが可能となっている。この小役３のように、リール回転停止操作のタイミングに関わ
らず、その対応図柄を有効ライン上に停止表示させるようにリール制御することが可能な
役を、以下、便宜的に「１００％引込み可能な役」と称する。
【００８１】
また、小役４は、３組の図柄パターン「ベル・赤チェリー・ベル」、「ベル・バー・ベ
ル」、「ベル・菊・ベル」のいずれか（重複可）が有効ライン上に停止表示されれば成立
する役である。さらに、小役３〜小役１０は、各々が単独で当選するようには設定されて
おらず、非ＲＴ遊技状態またはＲＴ遊技状態において、小役３〜小役８が重複当選する場
合と、小役３〜小役７及び小役９が重複当選する場合と、小役３〜小役７及び小役１０が
重複当選する場合との３つの場合が設定されている（図８〜図１１参照）。
【００８２】
また、小役３〜小役１０は、「押し順選択小役」として設定されている。ここで、押し
順選択小役とは、これらの役の当選後に、ストップスイッチ２６ａ，２６ｂ，２６ｃがど
のような順序で操作されたかによって、成立する役が変動する役のことを意味している。
本実施形態では、図１３の「押し順対応表」に示すように、押し順１〜押し順３の３種類
の押し順が設定されている。押し順１は、小役３〜小役８が重複当選した場合に設定され
るもので、ストップスイッチ２６ａが最初に操作された場合には、小役３〜小役８のうち
の払出枚数の多い小役が成立し、他のストップスイッチ２６ｂ，２６ｃが最初に操作され
た場合には、払出枚数の少ない他の役が成立するようになっている。同様に、押し順２は
、小役３〜小役７及び小役９が重複当選した場合に設定されるもので、ストップスイッチ
２６ｂが最初に操作された場合のみ、小役３〜小役７及び小役９のうちの払出枚数の多い
小役が成立するようになっており、押し順３は、小役３〜小役７及び小役１０が重複当選
した場合に設定されるもので、ストップスイッチ２６ｃが最初に操作された場合のみ、小
役３〜７及び小役１０のうちの払出枚数の多い小役が成立するようになっている。
【００８３】
例えば、押し順１が当選している場合に、ストップスイッチ２６ａが最初に操作された
場合（押し順正解時）には、小役３の対応図柄である「ベル・ベル・ベル」が有効ライン
上に停止表示されて、遊技メダルが１２枚払い出される（図１４（ａ）参照）のに対し、
他のストップスイッチ２６ｂ，２６ｃが最初に操作された場合（押し順不正解時）には、
小役４の成立図柄である「ベル・赤チェリー・ベル」及び小役５の成立図柄である「リプ
レイ・赤チェリー・リプレイ」が有効ライン上に停止表示され、遊技メダルの払出しは、
１枚＋３枚の計４枚に留まる（図１４（ｂ）参照）ようになっている。
【００８４】
再遊技役は、「リプレイ・リプレイ・リプレイ」の図柄の組合せが有効ライン上に停止
表示されれば成立する役であり、成立した場合、遊技メダルの払出しはないものの、遊技
メダルを投入（ＢＥＴ）することなく、次の遊技を行うことが可能とされる。なお、再遊
技役を構成する図柄「リプレイ」は、図３に示すように、各リール３ａ，３ｂ，３ｃ上に
おいてそれぞれ５図柄以内毎に配置されており、上述の小役３と同様、１００％引込み可
能な役となっている。
【００８５】
＜各遊技状態中の役の抽選テーブル＞
非ＲＴ遊技状態中においては、図８及び図９に示す抽選テーブルが用いられる。図８に
示す抽選テーブルは、非ＲＴ遊技状態中であって、かつ第１ＢＢ役が当選していることを
示す情報（以下「第１ＢＢ役決定情報」と称する）または第２ＢＢ役が当選していること
を示す情報（以下「第２ＢＢ役決定情報」と称する）が持ち越されていない遊技期間（以
下「非ＲＴ中非持越し遊技期間」と称する）での役決定に用いられる。一方、図９に示す
抽選テーブルは、非ＲＴ遊技状態中であって、かつ第１ＢＢ役決定情報または第２ＢＢ役
決定情報が持ち越されている遊技期間（以下「非ＲＴ中持越し遊技期間」と称する）での
役決定に用いられる。
【００８６】
図８に示す非ＲＴ中非持越し遊技期間の抽選テーブルには、乱数発生器６６により生成
される乱数列の全数値範囲（１〜Ｎｚ；Ｎｚ等の、Ｎにａ，ｂ，ｃ…を付したものは整数
を表す）を１２に分割した、Ａ〜Ｌまでの各数値範囲が設定されており、数値範囲毎に図
８に示すように各々の役が対応付けられている。例えば、数値範囲Ａ（１〜Ｎａ）には第
１ＢＢ役が対応付けられており、数値範囲Ｂ（Ｎａ＋１〜Ｎｂ）には第２ＢＢ役が対応付
けられている。また、数値範囲Ｆ（Ｎｅ＋１〜Ｎｆ）には小役３〜８が対応付けられてお
り、数値範囲Ｇ（Ｎｆ＋１〜Ｎｇ）には小役３〜８及び９が対応付けられている。さらに
、数値範囲Ｋ（Ｎｊ＋１〜Ｎｋ）には再遊技役が対応付けられており、数値範囲Ｌ（Ｎｋ
＋１〜Ｎｚ）にはハズレが対応付けられている。
【００８７】
表中の確率の欄に記されている各数値は、乱数列の全数値範囲に対する各数値範囲Ａ〜
Ｌの占める割合を示している。例えば、乱数発生器６６により生成される乱数列の中から
サンプリング回路６７によって１つの乱数（数字）を取得した際、その取得乱数が数値範
囲Ａに属し、それにより第１ＢＢ役が当選役として決定される確率は１／８００であるこ
とを示している。なお、ハズレに対応する数値範囲Ｌの確率Ｐ１は、数値範囲Ａ〜Ｋの各
確率を合計した値を１から引いた値である。
【００８８】
図９に示す非ＲＴ中持越し遊技期間の抽選テーブルは、図８に示す非ＲＴ中非持越し遊
技期間の抽選テーブルと同じＡ〜Ｌまでの各数値範囲が設定されており、各数値範囲Ａ〜
Ｌに対する確率も同じ値に設定されている。異なるのは、図８に示す非ＲＴ中非持越し遊
技期間の抽選テーブルでは、数値範囲Ａ及びＢに第１ＢＢ役及び第２ＢＢ役がそれぞれ対
応付けられているのに対し、図９に示す非ＲＴ中持越し遊技期間の抽選テーブルでは、数
値範囲Ａ及びＢにハズレが対応付けられている点にある。
【００８９】
すなわち、非ＲＴ中持越し遊技期間においては、乱数抽選により取得した乱数が数値範
囲Ａに属する場合であっても、そのことを契機として第１ＢＢ役が成立することを可能と
するリール制御は行われない（第１ＢＢ役決定情報が持ち越されている場合は、そのこと
に基づき、第１ＢＢ役が成立することを可能とするリール制御が行われる）。同様に、乱
数抽選により取得した乱数が数値範囲Ｂに属する場合であっても、そのことを契機として
第２ＢＢ役が成立することを可能とするリール制御は行われない（第２ＢＢ役決定情報が
持ち越されている場合は、そのことに基づき、第２ＢＢ役が成立することを可能とするリ
ール制御が行われる）。ただし、これらのハズレは、数値範囲Ｌに対応付けられたハズレ
とは異なり、第１ＢＢ役決定情報または第２ＢＢ役決定情報が持ち越されていない遊技期
間であれば、第１ＢＢ役または第２ＢＢ役が当選した場合に相当する役決定結果に対応す
るものとして処理される（詳しくは後述する）。
【００９０】
ＲＴ遊技状態中においては、図１０及び図１１に示す抽選テーブルが用いられる。図１
０に示す抽選テーブルは、ＲＴ遊技状態中であって、かつ第１ＢＢ役決定情報または第２
ＢＢ役決定情報が持ち越されていない遊技期間（以下「ＲＴ中非持越し遊技期間」と称す
る）での役決定に用いられる。一方、図１１に示す抽選テーブルは、ＲＴ遊技状態中であ
って、かつ第１ＢＢ役決定情報または第２ＢＢ役決定情報が持ち越されている遊技期間（
以下「ＲＴ中持越し遊技期間」と称する）での役決定に用いられる。
【００９１】
図１０に示すＲＴ中非持越し遊技期間の抽選テーブルには、乱数発生器６６により生成
される乱数列の全数値範囲（１〜Ｎｚ）を１２に分割した、Ａ〜Ｊ，Ｍ，Ｎの各数値範囲
が設定されており、数値範囲毎に図１０に示すように各々の役が対応付けられている。図
８に示す非ＲＴ中非持越し遊技期間の抽選テーブルと異なるのは、再遊技役が対応付けら
れた数値範囲Ｍ（Ｎｊ＋１〜Ｎｍ）の確率が１／１．５と高確率に設定され、それに伴い
、ハズレが対応付けられた数値範囲Ｎ（Ｎｍ＋１〜Ｎｚ）の確率がＰ２（＜Ｐ１）に設定
されている点にあり、他の構成は、図８に示す非ＲＴ中非持越し遊技期間の抽選テーブル
と同じである。
【００９２】
図１１に示すＲＴ中持越し遊技期間の抽選テーブルは、図１０に示すＲＴ中非持越し遊
技期間の抽選テーブルと同じＡ〜Ｊ，Ｍ，Ｎの各数値範囲が設定されており、各数値範囲
Ａ〜Ｊ，Ｍ，Ｎに対する確率も同じ値に設定されている。異なるのは、図１０に示すＲＴ
中非持越し遊技期間の抽選テーブルでは、数値範囲Ａ及びＢに第１ＢＢ役及び第２ＢＢ役
がそれぞれ対応付けられているのに対し、図１１に示すＲＴ中持越し遊技期間の抽選テー
ブルでは、数値範囲Ａ及びＢにハズレが対応付けられている点にある。
【００９３】
すなわち、ＲＴ中持越し遊技期間においては、非ＲＴ中持越し遊技期間と同様、乱数抽
選により取得した乱数が数値範囲Ａに属する場合であっても、そのことを契機として第１
ＢＢ役が成立することを可能とするリール制御は行われない（第１ＢＢ役決定情報が持ち
越されている場合は、そのことに基づき、第１ＢＢ役が成立することを可能とするリール
制御が行われる）。同様に、乱数抽選により取得した乱数が数値範囲Ｂに属する場合であ
っても、そのことを契機として第２ＢＢ役が成立することを可能とするリール制御は行わ
れない（第２ＢＢ役決定情報が持ち越されている場合は、そのことに基づき、第２ＢＢ役
が成立することを可能とするリール制御が行われる）。ただし、これらのハズレは、数値
範囲Ｎに対応付けられたハズレとは異なり、第１ＢＢ役決定情報または第２ＢＢ役決定情
報が持ち越されていない遊技期間であれば、第１ＢＢ役または第２ＢＢ役が当選した場合
に相当する役決定結果に対応するものとして処理される（詳しくは後述する）。
【００９４】
第１ＢＢ役または第２ＢＢ役が成立したことを契機として移行されるＢＢ遊技状態中（
以下「ＢＢ中」と略記することがある）においては、図１２に示す抽選テーブルが用いら
れる。図１２に示すＢＢ中の抽選テーブルには、乱数発生器６６により生成される乱数列
の全数値範囲（１〜Ｎｚ）に対応した数値範囲Ｚのみが設定されており、この数値範囲Ｚ
には小役３が対応付けられている。すなわち、ＢＢ中の役決定においては、小役３のみが
１００％の確率で決定されるように設定されている。先に述べたように小役３は、１００
％引込み可能な役であるため、ＢＢ中においては、遊技が行われる毎に、１２枚の遊技メ
ダルが払い出されることとなる。なお、各遊技状態中に抽選される役の種類や確率は、増
やしたり減らしたりするなど適宜設定することが可能である。例えば、ＢＢ遊技状態中に
おいて、小役３以外の役の抽選を行うようにしたり、ハズレを設定したりしてもよい。
【００９５】
＜役決定結果情報の処理＞
先にも述べたように本実施形態では、役決定（乱数抽選）の結果を示す情報が、役決定
情報記憶手段１０２の各記憶領域（図５参照）に記憶されるようになっている。例えば、
上記非ＲＴ中非持越し遊技期間における役決定（乱数抽選）により、図８に示す抽選テー
ブルの数値範囲Ａに属する乱数が取得された場合には、第１ＢＢ役が当選役として決定さ
れるとともに、そのことを示す第１ＢＢ役決定情報が持越し特別役記憶領域１０２１に記
憶される。この場合には、持越し特別役記憶領域１０２１に第１ＢＢ役決定情報が記憶さ
れており、非持越し特別役記憶領域１０２２及び小役・再遊技役記憶領域１０２３には何
ら情報が記憶されていない状態となる。また、数値範囲Ｂに属する乱数が取得された場合
には、第２ＢＢ役が当選役として決定されるとともに、そのことを示す第２ＢＢ役決定情
報が持越し特別役記憶領域１０２１に記憶される。この場合には、持越し特別役記憶領域
１０２１に第２ＢＢ役決定情報が記憶されており、非持越し特別役記憶領域１０２２及び
小役・再遊技役記憶領域１０２３には何ら情報が記憶されていない状態となる。
【００９６】
また、同じく非ＲＴ中非持越し遊技期間における役決定（乱数抽選）により、図８に示
す抽選テーブルの数値範囲Ｆに属する乱数が取得された場合には、小役３〜８が当選役と
して決定されるとともに、そのことを示す小役３〜８決定情報が小役・再遊技役記憶領域
１０２３に記憶される。この場合には、持越し特別役記憶領域１０２１及び非持越し特別
役記憶領域１０２２には何ら情報が記憶されておらず、小役・再遊技役記憶領域１０２３
に小役３〜８決定情報が記憶されている状態となる。また、数値範囲Ｋに属する乱数が取
得された場合には、再遊技役が当選役として決定されるとともに、そのことを示す再遊技
役決定情報が小役・再遊技役記憶領域１０２３に記憶される。この場合には、持越し特別
役記憶領域１０２１及び非持越し特別役記憶領域１０２２には何ら情報が記憶されておら
ず、小役・再遊技役記憶領域１０２３に再遊技役決定情報が記憶されている状態となる。
これに対し、取得乱数が数値範囲Ｌに属する場合には、ハズレであるとして、役決定情報
記憶手段１０２には何ら情報が記憶されない。この場合には、持越し特別役記憶領域１０
２１、非持越し特別役記憶領域１０２２及び小役・再遊技役記憶領域１０２３に何ら情報
が記憶されていない状態となる。
【００９７】
一方、上記非ＲＴ中持越し遊技期間における役決定（乱数抽選）により、図９に示す抽
選テーブルの数値範囲Ａに属する乱数が取得された場合には、抽選テーブル上はハズレで
あるものの、第１ＢＢ役決定情報または第２ＢＢ役決定情報が持ち越されていない遊技期
間であれば第１ＢＢ役が当選した場合に相当する役決定結果が得られたものとして、その
ことを示す第１ＢＢ役決定相当情報が非持越し特別役記憶領域１０２２に記憶される。こ
の場合には、持越し特別役記憶領域１０２１に第１ＢＢ役決定情報または第２ＢＢ役決定
情報が記憶されており、非持越し特別役記憶領域１０２２に第１ＢＢ役決定相当情報が記
憶されており、小役・再遊技役記憶領域１０２３には何ら情報が記憶されていない状態と
なる。同様に、数値範囲Ｂに属する乱数が取得された場合には、抽選テーブル上はハズレ
であるものの、第１ＢＢ役決定情報または第２ＢＢ役決定情報が持ち越されていない遊技
期間であれば第２ＢＢ役が当選した場合に相当する役決定結果が得られたものとして、そ
のことを示す第２ＢＢ役決定相当情報が非持越し特別役記憶領域１０２２に記憶される。
この場合には、持越し特別役記憶領域１０２１に第１ＢＢ役決定情報または第２ＢＢ役決
定情報が記憶されており、非持越し特別役記憶領域１０２２に第２ＢＢ役決定相当情報が
記憶されており、小役・再遊技役記憶領域１０２３に何ら情報が記憶されていない状態と
なる。
【００９８】
また、非ＲＴ中持越し遊技期間における役決定（乱数抽選）により、例えば、図９に示
す抽選テーブルの数値範囲Ｇに属する乱数が取得された場合には、小役３〜７及び９が当
選役として決定されるとともに、そのことを示す小役３〜７及び９決定情報が小役・再遊
技役記憶領域１０２３に記憶される。この場合には、持越し特別役記憶領域１０２１に第
１ＢＢ役決定情報または第２ＢＢ役決定情報が記憶されており、非持越し特別役記憶領域
１０２２には何ら情報が記憶されておらず、小役・再遊技役記憶領域１０２３に小役３〜
７及び９決定情報が記憶されている状態となる。また、数値範囲Ｉに属する乱数が取得さ
れた場合には、小役１１が当選役として決定されるとともに、そのことを示す小役１１決
定情報が小役・再遊技役記憶領域１０２３に記憶される。この場合には、持越し特別役記
憶領域１０２１に第１ＢＢ役決定情報または第２ＢＢ役決定情報が記憶されており、非持
越し特別役記憶領域１０２２には何ら情報が記憶されておらず、小役・再遊技役記憶領域
１０２３に小役１１決定情報が記憶されている状態となる。これに対し、取得乱数が数値
範囲Ｌに属する場合には、ハズレであるとして、役決定情報記憶手段１０２には何ら情報
が記憶されない。この場合には、持越し特別役記憶領域１０２１、非持越し特別役記憶領
域１０２２及び小役・再遊技役記憶領域１０２３に何ら情報が記憶されていない状態とな
る。
【００９９】
また、上記ＲＴ中非持越し遊技期間において、図１０に示す抽選テーブルを用いる役決
定（乱数抽選）により、数値範囲Ａに属する乱数が取得された場合には、第１ＢＢ役が当
選役として決定されるとともに、そのことを示す第１ＢＢ役決定情報が持越し特別役記憶
領域１０２１に記憶される。この場合には、持越し特別役記憶領域１０２１に第１ＢＢ役
決定情報が記憶されており、非持越し特別役記憶領域１０２２及び小役・再遊技役記憶領
域１０２３には何ら情報が記憶されていない状態となる。また、数値範囲Ｂに属する乱数
が取得された場合には、第２ＢＢ役が当選役として決定されるとともに、そのことを示す
第２ＢＢ役決定情報が持越し特別役記憶領域１０２１に記憶される。この場合には、持越
し特別役記憶領域１０２１に第２ＢＢ役決定情報が記憶されており、非持越し特別役記憶
領域１０２２及び小役・再遊技役記憶領域１０２３には何ら情報が記憶されていない状態
となる。
【０１００】
また、同じくＲＴ中非持越し遊技期間における役決定（乱数抽選）により、例えば、図
１０に示す抽選テーブルの数値範囲Ｈに属する乱数が取得された場合には、小役３〜７及
び１０が当選役として決定されるとともに、そのことを示す小役３〜７及び１０決定情報
が小役・再遊技役記憶領域１０２３に記憶される。この場合には、持越し特別役記憶領域
１０２１及び非持越し特別役記憶領域１０２２には何ら情報が記憶されておらず、小役・
再遊技役記憶領域１０２３に小役３〜７及び１０決定情報が記憶されている状態となる。
また、数値範囲Ｊに属する乱数が取得された場合には、小役１２が当選役として決定され
るとともに、そのことを示す小役１２決定情報が小役・再遊技役記憶領域１０２３に記憶
される。この場合には、持越し特別役記憶領域１０２１及び非持越し特別役記憶領域１０
２２には何ら情報が記憶されておらず、小役・再遊技役記憶領域１０２３に小役１２決定
情報が記憶されている状態となる。これに対し、取得乱数が数値範囲Ｌに属する場合には
、ハズレであるとして、役決定情報記憶手段１０２には何ら情報が記憶されない。この場
合には、持越し特別役記憶領域１０２１、非持越し特別役記憶領域１０２２及び小役・再
遊技役記憶領域１０２３に何ら情報が記憶されていない状態となる。
【０１０１】
一方、上記ＲＴ中持越し遊技期間における役決定（乱数抽選）により、図１１に示す抽
選テーブルの数値範囲Ａに属する乱数が取得された場合には、抽選テーブル上はハズレで
あるものの、第１ＢＢ役決定情報または第２ＢＢ役決定情報が持ち越されていない遊技期
間であれば第１ＢＢ役が当選した場合に相当する役決定結果が得られたものとして、その
ことを示す第１ＢＢ役決定相当情報が非持越し特別役記憶領域１０２２に記憶される。こ
の場合には、持越し特別役記憶領域１０２１に第１ＢＢ役決定情報または第２ＢＢ役決定
情報が記憶されており、非持越し特別役記憶領域１０２２には第１ＢＢ役決定相当情報が
記憶されており、小役・再遊技役記憶領域１０２３には何ら情報が記憶されていない状態
となる。同様に、数値範囲Ｂに属する乱数が取得された場合には、抽選テーブル上はハズ
レであるものの、第１ＢＢ役決定情報または第２ＢＢ役決定情報が持ち越されていない遊
技期間であれば第２ＢＢ役が当選した場合に相当する役決定結果が得られたものとして、
そのことを示す第２ＢＢ役決定相当情報が非持越し特別役記憶領域１０２２に記憶される
。この場合には、持越し特別役記憶領域１０２１に第１ＢＢ役決定情報または第２ＢＢ役
決定情報が記憶されており、非持越し特別役記憶領域１０２２には第２ＢＢ役決定相当情
報が記憶されており、小役・再遊技役記憶領域１０２３には何ら情報が記憶されていない
状態となる。
【０１０２】
また、ＲＴ中持越し遊技期間における役決定（乱数抽選）により、例えば、図１１に示
す抽選テーブルの数値範囲Ｆに属する乱数が取得された場合には、小役３〜８が当選役と
して決定されるとともに、そのことを示す小役３〜８決定情報が小役・再遊技役記憶領域
１０２３に記憶される。この場合には、持越し特別役記憶領域１０２１に第１ＢＢ役決定
情報または第２ＢＢ役決定情報が記憶されており、非持越し特別役記憶領域１０２２には
何ら情報が記憶されておらず、小役・再遊技役記憶領域１０２３に小役３〜８決定情報が
記憶されている状態となる。また、数値範囲Ｋに属する乱数が取得された場合には、再遊
技役が当選役として決定されるとともに、そのことを示す再遊技役決定情報が小役・再遊
技役記憶領域１０２３に記憶される。この場合には、持越し特別役記憶領域１０２１に第
１ＢＢ役決定情報または第２ＢＢ役決定情報が記憶されており、非持越し特別役記憶領域
１０２２には何ら情報が記憶されておらず、小役・再遊技役記憶領域１０２３に再遊技役
決定情報が記憶されている状態となる。これに対し、取得乱数が数値範囲Ｌに属する場合
には、ハズレであるとして、役決定情報記憶手段１０２には何ら情報が記憶されない。こ
の場合には、持越し特別役記憶領域１０２１、非持越し特別役記憶領域１０２２及び小役
・再遊技役記憶領域１０２３に何ら情報が記憶されていない状態となる。
【０１０３】
また、上記ＢＢ中の遊技期間における役決定（乱数抽選）においては、図１２に示す抽
選テーブルの数値範囲Ｚに属する乱数が遊技毎に取得され、これにより小役３が当選役と
して決定されるとともに、そのことを示す小役３決定情報が小役・再遊技役記憶領域１０
２３に記憶される。この場合には、持越し特別役記憶領域１０２１及び非持越し特別役記
憶領域１０２２には何ら情報が記憶されておらず、小役・再遊技役記憶領域１０２３に小
役３決定情報が記憶されている状態となる。
【０１０４】
持越し特別役記憶領域１０２１に記憶された第１ＢＢ役決定情報または第２ＢＢ役決定
情報、非持越し特別役記憶領域１０２２に記憶された第１ＢＢ役決定相当情報または第２
ＢＢ役決定相当情報、及び小役・再遊技役記憶領域１０２３に記憶された情報（再遊技役
決定情報等）は、主制御手段１００の情報送信手段１０７から副制御手段１１０の情報受
信手段１１４に送信される（送信のタイミングについては後述の制御フローを参照）。
【０１０５】
また、非持越し特別役記憶領域１０２２に記憶された第１ＢＢ役決定相当情報または第
２ＢＢ役決定相当情報、及び小役・再遊技役記憶領域１０２３に記憶された情報（再遊技
役決定情報等）は、情報が記憶された後、次の遊技期間に移行されるまでの間にクリア（
消去）され、持越し特別役記憶領域１０２１に記憶された第１ＢＢ役決定情報または第２
ＢＢ役決定情報は、第１ＢＢ役または第２ＢＢ役が成立した場合にはクリアされ、成立し
なかった場合にはクリアされず、次の遊技期間に持ち越される。
【０１０６】
なお、持越し特別役記憶領域１０２１に記憶される第１ＢＢ役決定情報または第２ＢＢ
役決定情報、及び非持越し特別役記憶領域１０２２に記憶される第１ＢＢ役決定相当情報
または第２ＢＢ役決定相当情報は、例えば、８ビットの情報とすることができる。この場
合、上位の４ビットの情報を用いて、第１ＢＢ役決定情報または第２ＢＢ役決定情報の特
別役決定情報であるか、それとも第１ＢＢ役決定相当情報または第２ＢＢ役決定相当情報
の特別役決定相当情報であるかを判別可能とし、下位の４ビットの情報を用いて、特別役
決定情報のうちの第１ＢＢ役決定情報であるかそれとも第２ＢＢ役決定情報であるか、ま
たは特別役決定相当情報のうちの第１ＢＢ役決定相当情報であるか第２ＢＢ役決定相当情
報であるかを判別可能に構成することができる。
【０１０７】
＜フリーズの制御＞
先にも述べたように本実施形態では、役決定情報記憶手段１０２の非持越し特別役記憶
領域１０２２に特別役決定相当情報（第１ＢＢ役決定相当情報または第２ＢＢ役決定相当
情報）が記憶されることを契機として、リール操作が無効状態となり各リール３ａ，３ｂ
，３ｃが通常とは異なる作動状態となるフリーズの決定がフリーズ決定手段１０３（図４
参照）により行われ、このフリーズ実行の決定が行われるとフリーズ実行制御手段１０４
により、フリーズ実行の決定に対応した所定のフリーズパターンに従って各リール３ａ，
３ｂ，３ｃの駆動を制御するように構成されている。
【０１０８】
具体的には、非持越し特別役記憶領域１０２２に第１ＢＢ役決定相当情報が記憶される
と、フリーズ決定手段１０３により第１フリーズ実行の決定がなされ、この第１フリーズ
実行の決定がなされたことによりフリーズ実行制御手段１０４が、第１フリーズのパター
ンに従って各リール３ａ，３ｂ，３ｃの駆動を制御するように構成されている。
【０１０９】
一方、非持越し特別役記憶領域１０２２に第２ＢＢ役決定相当情報が記憶されると、フ
リーズ決定手段１０３により第２フリーズ実行の決定がなされ、この第２フリーズ実行の
決定がなされたことによりフリーズ実行制御手段１０４が、リール操作を無効化するとと
もに、第２フリーズのパターンに従って各リール３ａ，３ｂ，３ｃの駆動を制御するよう
に構成されている。
【０１１０】
ここで、第１フリーズのパターンとは、リール操作を無効化する（スタートレバー２５
を操作しても各リール３ａ，３ｂ，３ｃが通常のように回転開始せず、ストップスイッチ
２６ａ〜２６ｃを操作しても各リール３ａ，３ｂ，３ｃが回転停止しない状態とする；以
下において同じ）とともに、全リール３ａ，３ｂ，３ｃが一斉に逆方向（各図柄が下から
上に移動する方向；以下において同じ）に所定回数回転した後に停止するものであり、第
２フリーズのパターンとは、リール操作を無効化するとともに、左リール及び右リール（
リール３ａ，３ｃ）は停止したまま、中リール（リール３ｂ）のみが逆方向に所定回数回
転した後に停止するものであり、どちらのパターンにおいても、逆回転していたリールが
停止した時点でフリーズが解除され、その後、全リール３ａ，３ｂ，３ｃが順方向（各図
柄が上から下に移動する方向；以下において同じ）に回転開始し、所定の回転速度に達し
た時点でリール操作が有効化されるようになっている。
【０１１１】
＜アシスト演出＞
また、本実施形態では、ＲＴ遊技状態中（ＲＴ中非持越し遊技期間またはＲＴ中持越し
遊技期間）の役決定により上記押し順選択小役（小役３〜１０）が決定された場合、演出
実行手段１１１（図４参照）により、遊技者によるストップスイッチ２６ａ，２６ｂ，２
６ｃの操作順（押し順）を報知するアシスト演出（押し順ナビ演出）が画像表示装置１１
の表示画面１１ａ上において実行される。
【０１１２】
アシスト演出の具体的態様としては、例えば、図１３の「押し順対応表」に示す押し順
１に対応している小役３〜８が重複当選している場合には「左第一」という画像を、押し
順２に対応している小役３〜７，９が重複当選している場合には「中第一」という画像を
、押し順３に対応している小役３〜７，１０が当選している場合には「右第一」という画
像を、それぞれ表示画面１１ａ上に表示させることが挙げられるが、他の態様のものでも
構わない。
【０１１３】
このように、ＲＴ遊技状態中においては、押し順選択小役が当選した場合、アシスト演
出の終了条件が成立しない限り押し順ナビ演出が行われるため、押し順選択小役が当選し
た場合には、多くの遊技メダルを容易に獲得することが可能となる。なお、上述したよう
に、押し順選択小役が当選している場合に押し順が不正解ならば、「リプレイ・赤チェリ
ー・リプレイ」、「リプレイ・バー・リプレイ」または「リプレイ・菊・リプレイ」が有
効ライン上に停止表示されることにより上記条件Ｓが満足され、ＲＴ遊技状態から非ＲＴ
遊技状態に移行されてしまうので、遊技者にとって押し順ナビ演出は、非ＲＴ遊技状態に
移行されずにＲＴ遊技状態に留まるための重要な役割を担っている。
【０１１４】
＜アシスト可能回数上乗せ抽選＞
また、本実施形態では、上述の持越し特別役記憶領域１０２１に記憶された第１ＢＢ役
決定情報または第２ＢＢ役決定情報が、副制御手段１１０の情報受信手段１１４により受
信されたことを契機として、アシスト上乗せ回数決定手段１１３によりアシスト可能回数
上乗せ抽選が行われる。このアシスト可能回数上乗せ抽選は、アシスト可能回数の上乗せ
回数を決定するものであり、本実施形態では、図１５に示すように、「第１当り」、「第
２当り」、「第３当り」、「第４当り」の計４項目の何れかが抽選により選択決定される
ようになっている。
【０１１５】
「第１当り」（確率は１／２）はアシスト上乗せ回数が２０回、「第２当り」（確率は
１／４）はアシスト上乗せ回数が３０回、「第３当り」（確率は１／５）はアシスト上乗
せ回数が５０回、「第４当り」（確率は１／２０）はアシスト上乗せ回数が１０回にそれ
ぞれ設定されている。
【０１１６】
＜アシスト可能回数上乗せ抽選演出＞
また、本実施形態では、第１フリーズ中のリール作動と連動するアシスト可能回数上乗
せ抽選演出が、演出実行手段１１１（図４参照）により実行される。このアシスト可能回
数上乗せ抽選演出は、上述のアシスト可能回数上乗せ抽選の結果に基づいて態様が決定さ
れるものであり、具体的には、次のように行われる。
【０１１７】
すなわち、フリーズ決定手段１０２により第１フリーズの実行決定がなされると、画像
表示装置１１の表示画面１１ａ（図１参照）に、図１６（Ａ）に示すようなルーレット１
２１と、当選位置を示す三角形状のマーク１２２が表示される。このルーレット１２１内
には、「＋２０Ｇ」、「＋３０Ｇ」、「＋５０Ｇ」及び「＋１０Ｇ」の各領域が設けられ
ている。
【０１１８】
そして、第１フリーズ中に各リール３ａ，３ｂ，３ｃが逆回転すると、それに連動して
ルーレット１２１が回転し（図１６（Ｂ）参照）、各リール３ａ，３ｂ，３ｃが停止する
と、それに連動してルーレット１２１が停止する画像が表示される。なお、ルーレット１
２１が停止したときにマーク１２２が指し示すルーレット１２１内の領域（図１６（Ｃ）
では「＋３０Ｇ」）は、上述のアシスト可能回数上乗せ抽選の結果と対応している。
【０１１９】
すなわち、アシスト可能回数上乗せ抽選により、「第１当り」が選択決定された場合に
は、図１６に示すルーレット１２１が停止した際にマーク１２２が「＋２０Ｇ」の領域を
指し示し、「第２当り」が選択決定された場合には、「＋３０Ｇ」の領域を指し示すよう
な画像表示がなされる。同様に、「第３当り」が選択決定された場合には、ルーレット１
２１が停止した際にマーク１２２が「＋５０Ｇ」の領域を指し示し、「第４当り」が選択
決定された場合には、「＋１０Ｇ」の領域を指し示すような画像表示がなされる。
【０１２０】
なお、ルーレット１２１が回転している時間の長さを、上述のアシスト可能回数上乗せ
抽選の結果と対応させて、例えば、アシスト可能回数上乗せ抽選により選択決定されたア
シスト上乗せ可能回数が多いほどルーレット１２１が回転している時間が長くなるような
演出を行うようにしてもよい。また、このようなアシスト可能回数上乗せ抽選演出は、第
１フリーズ中だけではなく、第２フリーズ中にも行われるようにしてもよいし、どちらの
フリーズ中においても行われないようにしてもよい。一方、主制御手段１００において、
第１フリーズまたは第２フリーズを行うか否かの抽選を行ったり、第１フリーズまたは第
２フリーズについてフリーズ時間が異なる複数のパターンを用意して、これらのパターン
の中から１つのパターンを選択する抽選を行うようにしたり、このとき選択されたパター
ンのフリーズ時間に応じて、副制御手段１１０において、アシスト可能回数上乗せ抽選演
出の時間（ルーレット１２１が回転している時間）の長さを変更したりするようにしても
よい。
【０１２１】
以下、本実施形態における主要な制御処理について、主に図１７〜図２６を参照しなが
ら説明する。以下では、まず、図１７〜図２２を用いて、主制御手段１００により行われ
る基本制御処理を説明し、次に、図２３〜図２６を用いて、副制御手段１１０により行わ
れる演出制御処理について説明する。なお、主制御手段１００による基本制御処理中、遊
技に関する各種情報（例えば、スタートレバー２５やストップスイッチ２６ａ，２６ｂ，
２６ｃが操作されたことの情報、役抽選結果及び当選役の成立の有無の情報、遊技状態が
設定された情報等）が適宜なタイミングで副制御手段１１０に送信されるが、そのタイミ
ング等については、主要なもの以外は説明を省略する。
【０１２２】
＜基本制御処理＞
主制御手段１００により行われる基本制御処理では、図１７に示すように、ＲＡＭ等に
おける未使用記憶領域等の初期化（ステップＳ１）を行った後、役決定結果情報更新処理
を行う（ステップＳ２）。この役決定結果情報更新処理では、図１８に示すように、まず
、役決定情報記憶手段１０２の小役・再遊技役記憶領域１０２３の情報をクリア（消去）
する（ステップＳ２１）。ここで、小役・再遊技役記憶領域１０２３の情報をクリアする
とは、小役・再遊技役記憶領域１０２３に情報が記憶されていない状態にすることを意味
する。この情報のクリア処理により、小役・再遊技役記憶領域１０２３に小役決定情報や
再遊技決定情報が記憶されている場合にはそれらの情報が消去され、情報が何ら記憶され
ていない場合には、その状態が継続されることとなる。このことは、以下の持越し特別役
記憶領域１０２１の情報をクリアする場合、及び非持越し特別役記憶領域１０２２の情報
をクリアする場合についても同じである。
【０１２３】
上記ステップＳ２１の処理に次いで、非持越し特別役記憶領域１０２２の情報をクリア
（ステップＳ２２）した後、ＢＢ遊技状態に設定されているか否かを判定し、ＢＢ遊技状
態に設定されている場合には、持越し特別役記憶領域１０２１の情報をクリアし（ステッ
プＳ２４）、役決定結果情報更新処理を終了してリターンする。一方、ＢＢ遊技状態に設
定されていない場合には、持越し特別役記憶領域１０２１の情報のクリアは行わず、役決
定結果情報更新処理を終了してリターンする。
【０１２４】
この役決定結果情報更新処理の後、図１７に示すように、遊技開始受付処理を行う（ス
テップＳ３）。この遊技開始受付処理では、図１９に示すように、まず、再遊技状態に設
定されているか否かを判定し（ステップＳ３１）、再遊技状態に設定されていない場合に
は遊技メダルのＢＥＴを受け付け（ステップＳ３２）、ＢＥＴされた遊技枚数が規定枚数
であるか否か（本実施形態の場合、ＭＡＸ−ＢＥＴされているか否か）を判定し（ステッ
プＳ３３）、ＭＡＸ−ＢＥＴされていない場合には、上記ステップＳ３２に戻る。一方、
上記ステップＳ３１の判定において、再遊技状態に設定されている場合には、遊技メダル
のＢＥＴを受け付けずに遊技開始受付処理を終了してリターンし、また、上記ステップＳ
３３の判定において、ＭＡＸ−ＢＥＴされている場合にも、遊技開始受付処理を終了して
リターンする。
【０１２５】
この遊技開始受付処理の後、図１７に示すように、スタートレバー２５が操作されたか
否かを判定する（ステップＳ４）。本実施形態では、スタートレバー２５が操作された（
操作信号を受け付けた）時点で新しい遊技期間に移行したものとする。スタートレバー２
５が操作された場合には役決定処理を行う（ステップＳ５）。この役決定処理では、図２
０に示すように、まず、乱数発生器６６により生成された乱数列の中から、サンプリング
回路６７によって１つの乱数を取得し（ステップＳ５１）、遊技状態の設定を確認する（
ステップＳ５２）。ここでの遊技状態の確認では、非ＲＴ遊技状態、ＲＴ遊技状態及びＢ
Ｂ遊技状態のうちの何れの遊技状態に設定されているかを確認するとともに、非ＲＴ遊技
状態またはＲＴ遊技状態に設定されている場合には、上記持越し特別役記憶領域１０２１
に第１ＢＢ役決定情報または第２ＢＢ役決定情報が記憶されているか否かの確認も併せて
行う。すなわち、この時点において、持越し特別役記憶領域１０２１にＢＢ役決定情報が
記憶されていることは、その遊技期間が、第１ＢＢ役決定情報または第２ＢＢ役決定情報
が持ち越されている持越し遊技期間（非ＲＴ中非持越し遊技期間またはＲＴ中非持越し遊
技期間）であることを示している。
【０１２６】
遊技状態の設定を確認した後、遊技状態の設定に対応した抽選テーブルを参照し（ステ
ップＳ５３）、参照した抽選テーブルに基づく役決定結果を導出する（ステップＳ５４）
。具体的には、ＢＢ遊技状態に設定されていた場合には、図１２に示すＢＢ中遊技期間の
抽選テーブルを参照し、小役３を当選役とする役決定結果を導出する。非ＲＴ遊技状態に
設定されており、かつ持越し特別役記憶領域１０２１に特別役決定情報が記憶されていな
い場合には、図８に示す非ＲＴ中非持越し遊技期間の抽選テーブルを参照し、非ＲＴ遊技
状態に設定されており、かつ持越し特別役記憶領域１０２１にＢＢ役決定情報が記憶され
ている場合には、図９に示す非ＲＴ中持越し遊技期間の抽選テーブルを参照し、それぞれ
、取得乱数が属する数値範囲に対応した役（ハズレを含む）が決定されたことを示す役決
定結果を導出する。同様に、ＲＴ遊技状態に設定されており、かつ持越し特別役記憶領域
１０２１に特別役決定情報が記憶されていない場合には、図１０に示すＲＴ中非持越し遊
技期間の抽選テーブルを参照し、ＲＴ遊技状態に設定されており、かつ持越し特別役記憶
領域１０２１に特別役決定情報が記憶されている場合には、図１１に示すＲＴ中持越し遊
技期間の抽選テーブルを参照し、それぞれ、取得乱数が属する数値範囲に対応した役（ハ
ズレを含む）が決定されたことを示す役決定結果を導出する。
【０１２７】
役決定結果を導出した後、その導出した役決定結果の情報を上記役決定情報記憶手段１
０２の各記憶領域に記憶する（ステップＳ５５）とともに、記憶した役決定結果の情報を
副制御手段（サブ）に送信し（ステップＳ５６）、役決定処理を終了してリターンする。
例えば、図９に示す非ＲＴ中持越し遊技期間の抽選テーブルまたは図１１に示すＲＴ中持
越し遊技期間の抽選テーブルに基づく役決定において、数値範囲Ａに対応するハズレ（第
１ＢＢ役決定相当）という役決定結果が導出されていた場合には、役決定情報記憶手段１
０２の非持越し特別役記憶領域１０２２に第１ＢＢ役決定相当情報が記憶され、数値範囲
Ｂに対応するハズレ（第２ＢＢ役決定相当）という役決定結果が導出されていた場合には
、非持越し特別役記憶領域１０２２に第２ＢＢ役決定相当情報が記憶される。
【０１２８】
役決定処理の後、図１７に示すように、リール停止制御の設定を行う（ステップＳ６）
。このリール停止制御の設定は、役決定結果（役決定情報記憶手段１０２の各記憶領域に
記憶された情報）に基づき行われるもので、役決定結果に対応させて、リール停止操作の
タイミングに応じどの位置にどの図柄を停止表示させるかを決めるものである。例えば、
役決定情報記憶手段１０２の小役・再遊技役記憶領域１０２３に再遊技役決定情報が記憶
されている場合には、リール停止操作のタイミングに関わらず、有効ライン上に再遊技役
の対応図柄「リプレイ・リプレイ・リプレイ」を停止させるためのリール停止制御が設定
される。また、持越し特別役記憶領域１０２１にＢＢ役決定情報が記憶され、かつ小役・
再遊技役記憶領域１０２３に小役決定情報が記憶されている場合には、特別役よりも小役
を成立させることを優先させる小役優先のリール停止制御が設定される。具体的には、リ
ール停止操作のタイミングが、小役の対応図柄を有効ライン上に停止表示させることが可
能なタイミングであった場合には、小役の対応図柄を有効ライン上に停止表示させ、小役
の対応図柄を有効ライン上に停止表示させることが可能なタイミングではなかったが、特
別役の対応図柄を有効ライン上に停止表示させることは可能なタイミングであった場合に
は、特別役の対応図柄を有効ライン上に停止表示させるリール停止制御が設定される。
【０１２９】
また、小役・再遊技役記憶領域１０２３に、１００％引き込み可能な役ではない或る小
役（例えば、上記小役２）の決定情報のみが記憶されており、持越し特別役記憶領域１０
２１及び非持越し特別役記憶領域１０２２には情報が記憶されていない場合、リール停止
操作のタイミングにより、可能な場合にはその小役の対応図柄を有効ライン上に停止表示
させ、可能でない場合にはその小役の対応図柄を有効ライン上に停止表示させないリール
停止制御が設定される。具体的には、例えば、最初のリール停止操作（第１停止操作）の
タイミングが、その小役の対応図柄を有効ライン上に停止表示させることが可能なタイミ
ングであった場合には、最初のリールにおいてはその小役の対応図柄を有効ライン上に停
止表示させるが、次のリール停止操作（第２停止操作）のタイミングが、その小役の対応
図柄を有効ライン上に停止表示させることが可能なタイミングではなかった場合には、次
のリールにおいてはその小役の対応図柄を有効ライン上に停止表示させないリール停止制
御が設定される。また、この場合、最後のリール停止操作（第３停止操作）のタイミング
により、最後のリールの停止位置が決定されるが、最後のリールが停止した状態（全リー
ル停止状態）においては何れの役の対応図柄も有効ライン上に揃っていないようにするリ
ール停止制御が設定される。
【０１３０】
また、本実施形態では、役決定情報記憶手段１０２の非持越し特別役記憶領域１０２２
に、第１ＢＢ役決定相当情報が記憶されていた場合と第２ＢＢ役決定相当情報が記憶され
ていた場合とで、異なるリール停止制御が設定される。具体的には、例えば、第１ＢＢ役
決定相当情報が記憶されていた場合には、小役３の対応図柄「ベル・ベル・ベル」を、図
１に示す表示窓Ｗ内の左上段、中央上段及び右上段の横一直線のライン（無効ライン）上
に停止表示させることが可能なリール停止制御が設定され、第２ＢＢ役決定相当情報が記
憶されていた場合には、同じ小役３の対応図柄「ベル・ベル・ベル」を、表示窓Ｗ内の左
下段、中央下段及び右下段の横一直線のライン（無効ライン）上に停止表示させることが
可能なリール停止制御が設定されることが挙げられる。また、他の態様として、非持越し
特別役記憶領域１０２２に、第１ＢＢ役決定相当情報が記憶されていた場合には、リール
停止操作のタイミングにより可能な限り、第１ＢＢ役の対応図柄を表示窓Ｗ内の無効ライ
ン上に停止表示させ、第２ＢＢ役決定相当情報が記憶されていた場合には、リール停止操
作のタイミングにより可能な限り、第２ＢＢ役の対応図柄を表示窓Ｗ内の無効ライン上に
停止表示させるリール停止制御が設定されるようにしてもよい。
【０１３１】
具体的には、例えば、役決定情報記憶手段１０２の持越し特別役記憶領域１０２１に第
１ＢＢ役決定情報が記憶され、非持越し特別役記憶領域１０２２に第２ＢＢ役決定相当情
報が記憶され、小役・再遊技役記憶領域１０２３に小役２決定情報が記憶されている場合
には、リール停止操作のタイミングが、小役２の対応図柄を有効ライン上に停止表示させ
ることが可能なタイミングであった場合には、小役２の対応図柄を有効ライン上に停止表
示させ、小役２の対応図柄を有効ライン上に停止表示させることが可能なタイミングでは
なかったが、第２ＢＢ役の対応図柄を無効ライン上に停止表示させることは可能なタイミ
ングであった場合には、第２ＢＢ役の対応図柄を無効ライン上に停止表示させ、小役２の
対応図柄を有効ライン上に停止表示させること及び第２ＢＢ役の対応図柄を無効ライン上
に停止表示させること及び第２ＢＢ役の対応図柄を無効ライン上に停止表示させることが
可能なタイミングではなかったが、第１ＢＢ役の対応図柄を有効ライン上に停止表示させ
ることは可能なタイミングであった場合は、第１ＢＢ役の対応図柄を有効ライン上に停止
表示させるリール停止制御が設定されるようにしてもよい。
【０１３２】
一方、例えば、役決定情報記憶手段１０２の持越し特別役記憶領域１０２１に第２ＢＢ
役決定情報が記憶され、非持越し特別役記憶領域１０２２に第１ＢＢ役決定相当情報が記
憶され、小役・再遊技役記憶領域１０２３に小役２決定情報が記憶されている場合には、
リール停止操作のタイミングが、小役２の対応図柄を有効ライン上に停止表示させること
が可能なタイミングであった場合には、小役２の対応図柄を有効ライン上に停止表示させ
、小役２の対応図柄を有効ライン上に停止表示させることが可能なタイミングではなかっ
たが、第１ＢＢ役の対応図柄を無効ライン上に停止表示させることは可能なタイミングで
あった場合には、第１ＢＢ役の対応図柄を無効ライン上に停止表示させ、小役２の対応図
柄を有効ライン上に停止表示させること及び第１ＢＢ役の対応図柄を無効ライン上に停止
表示させることが可能なタイミングではなかったが、第２ＢＢ役の対応図柄を有効ライン
上に停止表示させることは可能なタイミングであった場合は、第２ＢＢ役の対応図柄を有
効ライン上に停止表示させるリール停止制御が設定されるようにする。
【０１３３】
リール停止制御を設定した後、図１７に示すように、フリーズ設定処理を行う（ステッ
プＳ７）。このフリーズ設定処理では、図２１に示すように、まず、役決定情報記憶手段
１０２の非持越し特別役記憶領域１０２２に第１ＢＢ役決定相当情報が記憶されているか
否かを判定し（ステップＳ７１）、記憶されている場合には、上述の第１フリーズの実行
を決定する（ステップＳ７２）とともに、第１フリーズの状態に移行する（第１フリーズ
を実行する）ことを示す第１フリーズ移行コマンドを副制御手段（サブ）１１０へ送信す
る（ステップＳ７３）。次に、上述の第１フリーズのパターンに従って各リール３ａ，３
ｂ，３ｃの駆動を制御（ステップＳ７４）した後、フリーズ設定処理を終了してリターン
する。
【０１３４】
一方、上記ステップＳ７１の判定において、上記非持越し特別役記憶領域１０２２に第
１ＢＢ役決定相当情報が記憶されていなかった場合には、非持越し特別役記憶領域１０２
２に第２ＢＢ役決定相当情報が記憶されているか否かを判定し（ステップＳ７６）、記憶
されている場合には、上述の第２フリーズの実行を決定する（ステップＳ７７）とともに
、第２フリーズの状態に移行する（第２フリーズを実行する）ことを示す第２フリーズ移
行コマンドを副制御手段（サブ）１１０へ送信する（ステップＳ７８）。次に、上述の第
２フリーズのパターンに従って各リール３ａ，３ｂ，３ｃの駆動を制御（ステップＳ７９
）した後、フリーズ設定処理を終了してリターンする。また、上記ステップＳ７６の判定
において、上記非持越し特別役記憶領域１０２２に第２ＢＢ役決定相当情報が記憶されて
いなかった場合には、フリーズ実行の設定を行わずにフリーズ設定処理を終了してリター
ンする。
【０１３５】
フリーズ設定処理後、図１７に示すように、各リール３ａ，３ｂ，３ｃを回転開始させ
る（ステップＳ８）。次いで、各ストップスイッチ２６ａ，２６ｂ，２６ｃが操作される
のを待機し（ステップＳ９）、操作された場合には、上記ステップＳ６において設定され
たリール停止制御を実行する（ステップＳ９）。
【０１３６】
リール停止制御を実行した後、図１７に示すように、停止表示図柄の認識を行い（ステ
ップＳ１１）、遊技メダルの払出しが有る（小役が成立している）か否かを判定し（ステ
ップＳ１２）、払出しが有る場合には、成立している小役に応じて遊技メダルを払い出し
た（ステップＳ１３）後、遊技状態の設定処理（ステップＳ１４）に進む。一方、払出し
が無い場合には、上記ステップＳ１３は実行せずに、遊技状態の設定処理（ステップＳ１
４）に進む。
【０１３７】
遊技状態の設定処理では、図２２に示すように、まず、遊技状態の現設定を確認する（
ステップＳ１４１）。ここでの遊技状態の確認では、非ＲＴ遊技状態、ＲＴ遊技状態及び
ＢＢ遊技状態のうちの何れの遊技状態に設定されているかを確認するとともに、再遊技状
態に設定されているか否かの確認も併せて行う。
【０１３８】
遊技状態の現設定を確認した後、遊技状態の設定を変更する必要があるか否かを判定す
る（ステップＳ１４２）。ここでの遊技状態の設定変更の必要判定では、現設定が非ＲＴ
遊技状態の場合には上述の条件ＰまたはＱが満足されているか否か、現設定がＲＴ遊技状
態の場合には上述の条件ＱまたはＳが満足されているか否か、現設定がＢＢ遊技状態の場
合には上述の条件Ｒが満足されているか否かを判定し、何れかの条件が満足されていれば
、遊技状態の設定を変更する必要があると判定し、何れの条件も満足されていれば、遊技
状態の設定を変更する必要はないと判定する。
【０１３９】
また、この非ＲＴ、ＲＴ、ＢＢの遊技状態の設定変更の必要判定とは別に、再遊技状態
の設定変更の必要判定を行う。すなわち、再遊技状態に現在設定されている場合には、上
記ステップＳ１１の停止表示図柄の認識において、再遊技役が成立しているときには再遊
技状態の設定を変更（解除）する必要がないと判定し、再遊技役が成立していないときに
は、再遊技状態の設定を変更（解除）する必要があると判定する。逆に、再遊技状態に現
在設定されていない場合には、上記ステップＳ１１の停止表示図柄の認識において、再遊
技役が成立しているときには再遊技状態の設定を変更（設定）する必要があると判定し、
再遊技役が成立していないときには、再遊技状態の設定を変更（設定）する必要がないと
判定する。
【０１４０】
遊技状態の設定変更の必要判定において、非ＲＴ、ＲＴ、ＢＢの遊技状態の設定及び再
遊技状態の設定の何れかを変更する必要があると判定した場合には、遊技状態の設定を変
更（ステップＳ１４３）して、ステップＳ１４５に進み、何れの遊技状態の設定も変更す
る必要がないと判定した場合には、遊技状態の現設定を維持（ステップＳ１４４）して、
ステップＳ１４５に進む。そして、ステップＳ１４５において、遊技状態の設定変更情報
を副制御手段（サブ）１１０に送信し、遊技状態の設定処理を終了してリターンする。
【０１４１】
＜演出制御処理＞
副制御手段１１０により実行される演出制御処理では、図２３に示すように、まず、非
ＲＴ遊技状態に設定されているか否かを判定し（ステップＴ１）、非ＲＴ遊技状態に設定
されている場合には、非ＲＴ中演出処理を実行する（ステップＴ２）。一方、非ＲＴ遊技
状態に設定されていない場合には、ＲＴ遊技状態に設定されているか否かを判定し（ステ
ップＴ３）、ＲＴ遊技状態に設定されている場合には、ＲＴ中演出処理を実行する（ステ
ップＴ４）。また、上記ステップＴ３の遊技状態の判定において、ＲＴ遊技状態に設定さ
れていない場合には、ステップＴ５に進み、遊技状態の設定変更情報が受信されるまでそ
の状態で待機し、受信された場合には演出制御処理を終了する。
【０１４２】
上記非ＲＴ中演出処理では、図２４に示すように、役決定結果の情報を受信するまでそ
の状態で待機し（ステップＴ２１）、役決定結果の情報を受信した場合には、特別役決定
相当情報（第１ＢＢ役決定相当情報または第２ＢＢ役決定相当情報）が有るか無いかを判
定し（ステップＴ２２）、有る場合には、上乗せ抽選／演出処理を実行する（ステップＴ
２３）。
【０１４３】
この上乗せ抽選／演出処理では、図２５に示すように、まず、上述のアシスト可能回数
上乗せ抽選（図１５参照）を実行し（ステップＴ２３１）、アシスト可能回数上乗せ抽選
で決定されたアシスト上乗せ回数をアシスト可能回数に加算する（ステップＴ２３２）。
次に、上述の第１フリーズ移行コマンドを受信したか否かを判定し（ステップＴ２３３）
、受信した場合には、上述のアシスト可能回数上乗せ抽選演出（図１６参照）を実行し（
ステップＴ２３４）、上乗せ抽選／演出処理を終了してリターンする。一方、上記ステッ
プＴ２３３において、第１フリーズ移行コマンドを受信していない場合には、上述の第２
フリーズ移行コマンドを受信したか否かを判定し（ステップＴ２３５）、受信していない
場合には上記ステップＴ２３３に戻り、受信した場合には上乗せ抽選／演出処理を終了し
てリターンする。
【０１４４】
上乗せ抽選／演出処理後、図２４に示すように、遊技状態の設定情報が受信されるまで
その状態で待機し（ステップＴ２４）、受信された場合には非ＲＴ遊技状態から他の遊技
状態に設定されたか否かを判定する（ステップＴ２５）。ここで、他の遊技状態に設定さ
れていない場合には上記ステップＴ２１に戻り、他の遊技状態に設定されていた場合には
非ＲＴ中演出処理を終了してリターンする。
【０１４５】
また、上記ＲＴ中演出処理では、図２６に示すように、まず、アシスト可能回数を設定
する（ステップＴ４１）。このアシスト可能回数の設定では、アシスト可能回数の初期値
（例えば３０回）に、上述の非ＲＴ中演出処理におけるアシスト可能回数上乗せ抽選で決
定された回数を加算した値が設定される。次に、役決定結果の情報を受信するまでその状
態で待機し（ステップＴ４２）、役決定結果の情報を受信した場合には、特別役決定相当
情報（第１ＢＢ役決定相当情報または第２ＢＢ役決定相当情報）が有るか無いかを判定し
（ステップＴ４３）、有る場合には、上乗せ抽選／演出処理を実行する（ステップＴ４４
）。この上乗せ抽選／演出処理は、上記非ＲＴ中演出処理における上乗せ抽選／演出処理
（図２５参照）と同じ内容であるので、説明は省略する。
【０１４６】
上乗せ抽選／演出処理後、または上記ステップＴ４３の判定において特別役決定相当情
報が無いと判定された場合には、図２６に示すように、上述の押し順選択小役が決定され
たことを示す押し順選択小役決定情報（図１３に示す押し順１〜３にそれぞれ対応した小
役の決定情報）が有るか無いかを判定し（ステップＴ４５）、有る場合には、アシスト可
能回数の残数がゼロであるかないかを判定する（ステップＴ４６）。ここで、アシスト可
能回数の残数がゼロでない場合には、上述のアシスト演出（押し順ナビ演出）を実行し（
ステップＴ４７）、ステップＴ４８に進む。
【０１４７】
一方、上記ステップＴ４５の判定において押し順選択小役決定情報が無いと判定された
場合には、アシスト演出を実行せずにステップＴ４８に進み、このステップＴ４８におい
て、アシスト可能回数の残数を１つ減らした後、ステップＴ４９に進む。また、上記ステ
ップＴ４６の判定においてアシスト可能回数の残数がゼロであると判定された場合には、
ステップＴ４７，Ｔ４８の処理を行わずにステップＴ４９に進む。このステップＴ４９に
おいて、遊技状態の設定情報が受信されるまでその状態で待機し、受信された場合にはＲ
Ｔ遊技状態から他の遊技状態に設定されたか否かを判定する（ステップＴ５０）。ここで
、他の遊技状態に設定されていない場合には上記ステップＴ４２に戻り、他の遊技状態に
設定されていた場合にはＲＴ中演出処理を終了してリターンする。
【０１４８】
＜態様の変更＞
上述の実施形態では、特別役（第１ＢＢ役または第２ＢＢ役）が決定された場合に、そ
のことを報知する演出については説明していないが、このような報知演出を行うようにし
てもよい。その場合、特別役が決定された遊技において直ちに報知演出を行うようにして
もよいが、特別役決定情報（第１ＢＢ役決定情報または第２ＢＢ役決定情報）が持ち越さ
れている遊技期間が所定の回数に達するという条件が満足された場合に、報知演出を行う
ようにしてもよい。
【０１４９】
また、上述の実施形態では、特別役決定情報が持ち越されている持越し遊技期間におい
て、非持越し遊技期間であれば特別役が決定された場合に相当する役決定結果（以下「特
別役決定相当結果」と称する）が得られた場合には、必ずそのことを示す特別役決定相当
情報が副制御手段に送信されて特典が付与される機会が設定されるように構成されている
が、持越し遊技期間内であっても、特典付与の機会が設定される期間を制限するようにし
てもよい。例えば、前述のように特別役決定情報が持ち越されている遊技期間が所定の回
数に達するという条件が満足された場合に、特別役が決定されていることを報知する演出
を行うような場合に、このような報知演出が行われる前までの持越し遊技期間において上
記特別役決定相当結果が得られた場合には、特典付与の機会を設定するが、報知演出が行
われた後の持越し遊技期間において上記特別役決定相当結果が得られた場合には、特典付
与の機会を設定しないということが挙げられる。これは、持越し遊技期間において、通常
よりも再遊技役の決定確率が高く設定され、通常よりも遊技メダルの獲得が容易となって
いるような場合などに有用である。
【０１５０】
また、上述の実施形態では、特別役決定相当情報の種類（第１ＢＢ役決定相当情報であ
るか第２ＢＢ役決定相当情報であるか）によって、付与される特典（アシスト上乗せ回数
）の内容や程度に差がないように構成されているが、特別役決定相当情報の種類によって
、付与される特典の内容や程度が異なるようにしてもよい。例えば、上述の実施形態にお
いて、第１ＢＢ役決定相当情報が送信された場合には、第２ＢＢ役決定相当情報が送信さ
れた場合と比べて、多くのアシスト上乗せ回数が獲得できるような抽選を行うことが挙げ
られる。
【０１５１】
また、乱数抽選により取得された乱数値またはその乱数値に対応した数値（以下「乱数
値等」と称する）を示す情報を、特別役決定相当情報として副制御手段に送信し、副制御
手段において、受信した乱数値等を示す情報から、それが特別役決定相当情報に該当する
ものであるか否かを判定するようにしてもよい。この場合、乱数値等によって、どの特別
役が決定されたことに相当する情報なのかを判別することが可能となるので、特別役の種
類が多いような場合に有用である。
【０１５２】
また、上述の実施形態では、遊技者に付与される特典が、ＲＴ遊技状態中に行われるア
シスト演出の実行可能回数の上乗せ回数とされているが、他の態様の特典を付与するよう
にしてもよい。例えば、ＢＢ遊技状態中においても押し順選択小役が設定されているよう
な場合に、ＢＢ遊技状態中においてアシスト演出が実行されることを、特典とすることな
どが挙げられる。
【０１５３】
また、ＢＢ遊技状態中においても、特別役が決定されたことに相当する役決定結果が得
られたか否かの判定を行うようにしてもよい。例えば、ＢＢ遊技状態中において、図８〜
１１に示す役抽選テーブルの数値範囲ＡまたはＢに属する乱数が取得された場合には、特
別役決定相当情報を副制御手段１１０に送信し、副制御手段１１０側においてアシスト可
能回数上乗せ抽選を行うようにしたり、ＢＢ遊技状態中においても押し順選択小役が設定
されているような場合には、ＢＢ遊技状態中においてアシスト演出が実行されるように切
り替えたりすることが挙げられる。
【０１５４】
また、上述の実施形態では、押し順正解時には払出枚数の多い小役（小役３）が有効ラ
イン上に揃い、押し順不正解時には払出枚数の少ない小役（小役４と５）が有効ライン上
に揃うように構成されているが、押し順不正解時には何ら小役が揃わないようにしたり、
揃い難くしたりするように構成してもよい。揃い難くする態様としては、目押しにより所
定のタイミングでリール停止操作を行わなければ有効ライン上に停止表示させることがで
きない図柄を役の対応図柄として含む小役を、押し順不正解時の小役として設定しておく
ことなどが挙げられる。また、対応図柄が異なる複数の再遊技役を設定し、これらを押し
順選択用として用いるようにしてもよい。
【０１５５】
また、上述の実施形態では、持越し遊技期間において特別役決定相当結果が得られた場
合に特典として付与されるアシスト可能回数の上乗せ回数が、アシスト可能回数上乗せ抽
選の結果によって変動するようになっているが、一律の値としてもよい。その場合、その
値は、特別役が決定された場合と同等の遊技メダルの払出しが受けられるような上乗せ回
数の値とすることができる。例えば、上述の第２ＢＢ役が成立した場合、１２枚払出しの
小役３が連続して成立することにより２００枚の払出しが受けられるので、２００／１２
＝１６．６…となることから、第２ＢＢ役決定相当の役決定結果が得られた場合には、例
えば、上乗せ回数を１７回に設定することなどが挙げられる。
【０１５６】
一方、所定のアシスト可能回数を上乗せするのではなく、特別役が決定された場合に獲
得可能な枚数と同等の遊技メダルの払出しが受けられるまで、アシスト演出が継続される
ようにしてもよい。例えば、上述の第２ＢＢ役が成立した場合、ＢＢ遊技状態中は１ＢＥ
Ｔで遊技可能とすると、（１２―１）×１７＝１８７枚の遊技メダルを獲得することがで
きるので、第２ＢＢ役決定相当の役決定結果が得られた場合には、例えば、ＲＴ遊技状態
中に、１８７枚またはそれを超える遊技メダルの払出しが受けられるまで、アシスト演出
が継続されるように設定することなどが挙げられる。
【０１５７】
また、上述の実施形態では、非ＲＴ遊技状態からＲＴ遊技状態への移行条件を、ＳＢ役
のこぼし目が有効ライン上に揃うこととしているが、移行条件は適宜変更することが可能
である。例えば、ＳＢ役が当選したときに揃えることが可能となる図柄の組合せ（対応図
柄）を複数設定し、それら複数の対応図柄のうち特定の対応図柄が有効ライン上に揃うこ
とを、非ＲＴ遊技状態からＲＴ遊技状態への移行条件としてもよい。この場合、その特定
の対応図柄を有効ライン上に揃えるためには、所定のリール上において特定の対応図柄を
狙って目押しにより所定のタイミングでリール停止操作を行うことを必要としたり、所定
の押し順でリール停止操作を行うことを必要としたりするようにしてもよい。一方、再遊
技役が当選したときに揃えることが可能となる対応図柄を複数設定し、それら複数の対応
図柄のうち特定の対応図柄が有効ライン上に揃うことを、非ＲＴ遊技状態からＲＴ遊技状
態への移行条件としてもよい。この場合も、その特定の対応図柄を有効ライン上に揃える
ためには、所定のリール上において特定の対応図柄を狙って目押しにより所定のタイミン
グでリール停止操作を行うことを必要としたり、所定の押し順でリール停止操作を行うこ
とを必要としたりするようにしてもよい。
【０１５８】
また、非ＲＴ遊技状態中に、特別役が決定されたことに相当する役決定結果が得られた
場合には、非ＲＴ遊技状態からＲＴ遊技状態へ移行することをアシストするともに、移行
した後のアシスト可能回数を決定するようにしてもよい。非ＲＴ遊技状態からＲＴ遊技状
態へ移行することをアシストする態様としては、例えば、上述のように、ＳＢ役や再遊技
役の特定の対応図柄が有効ライン上に揃うことが非ＲＴ遊技状態からＲＴ遊技状態へ移行
条件とされ、かつその特定図柄を揃えるためには、所定のリール上において特定の対応図
柄を狙って目押しにより所定のタイミングでリール停止操作を行うことを必要とする場合
には、その特定の対応図柄がどの図柄であるのかを報知したり、所定の押し順でリール停
止操作が行われることを必要とする場合には、その押し順を報知したりすることなどが挙
げられる。
【０１５９】
また、上述の実施形態では、第１ＢＢ役及び第２ＢＢ役は単独で当選するように構成さ
れているが、所定の小役と重複して当選するようにしてもよい。例えば、第２ＢＢ役につ
いて、単独で当選する場合と小役３と重複して当選する場合を設定し、小役３については
単独で当選する場合もあるように設定することが挙げられる。この場合、第１ＢＢ役決定
情報が持ち越されている遊技期間においては、第２ＢＢ役が単独で当選した場合に相当す
る役決定結果が得られたことにより、第１ＢＢ役決定情報と第２ＢＢ役決定相当情報が記
憶される場合と、第２ＢＢ役が小役３と重複して当選した場合に相当する役決定結果が得
られたことにより、第１ＢＢ役決定情報と第２ＢＢ役決定相当情報と小役３決定情報が記
憶される場合と、小役３が単独で決定された場合に相当する役決定結果が得られたことに
より、第１ＢＢ役決定情報と小役３決定情報が記憶される場合などが考えられるが、それ
ぞれの場合において、リールの制御を変えるようにしてもよい。
【０１６０】
また、上述したアシスト演出以外にも、種々の演出を副制御手段１１０において行うよ
うにしてもよい。例えば、第１ＢＢ役や第２ＢＢ役のような特別役が成立し、ＢＢ遊技状
態に移行した場合や、ＢＢ遊技状態での遊技が行われている場合や、ＢＢ遊技状態から他
の遊技状態に移行した場合などに、それぞれに対応した演出を行うようにしたり、特別役
が当選する期待度に応じた演出を行うようにしたりすることなどが挙げられる。
【符号の説明】
【０１６１】
１  スロットマシン
３ａ，３ｂ，３ｃ  リール
２５  スタートレバー
２６ａ，２６ｂ，２６ｃ  ストップスイッチ
６０  主制御基板
７０  副制御基板
１００  主制御手段
１０１  役決定手段
１０２  役決定情報記憶手段
１０３  フリーズ決定手段
１０４  フリーズ実行制御手段
１０５  リール制御手段
１０６  遊技状態制御手段
１０７  情報送信手段
１１０  副制御手段
１１１  演出実行制御手段
１１２  アシスト回数制御手段
１１３  演出実行制御手段
１１４  アシスト上乗せ回数決定手段
１０２１  持越し特別役記憶領域
１０２２  非持越し特別役記憶領域
１０２３  小役・再遊技役記憶領域
【図１】
2013000381.tif 000003
【図２】
2013000381.tif 000004
【図３】
2013000381.tif 000005
【図４】
2013000381.tif 000006
【図５】
2013000381.tif 000007
【図６】
2013000381.tif 000008
【図７】
2013000381.tif 000009
【図８】
2013000381.tif 000010
【図９】
2013000381.tif 000011
【図１０】
2013000381.tif 000012
【図１１】
2013000381.tif 000013
【図１２】
2013000381.tif 000014
【図１３】
2013000381.tif 000015
【図１４】
2013000381.tif 000016
【図１５】
2013000381.tif 000017
【図１６】
2013000381.tif 000018
【図１７】
2013000381.tif 000019
【図１８】
2013000381.tif 000020
【図１９】
2013000381.tif 000021
【図２０】
2013000381.tif 000022
【図２１】
2013000381.tif 000023
【図２２】
2013000381.tif 000024
【図２３】
2013000381.tif 000025
【図２４】
2013000381.tif 000026
【図２５】
2013000381.tif 000027
【図２６】
2013000381.tif 000028